(57)【特許請求の範囲】
【請求項１】
マシンツーマシン（Ｍ２Ｍ）ワイヤレスワイドエリアネットワーク（ＷＡＮ）におけるワイヤレス通信のための方法であって、
前記Ｍ２ＭワイヤレスＷＡＮにおいてＭ２Ｍデバイスのためのページングスロットを生成することと、
前記ページングスロット中のメッセージを識別することと、
前記識別されたメッセージのメッセージタイプを判断することと、
前記判断されたメッセージタイプに少なくとも部分的に基づいて、前記ページングスロットが利用可能容量を含むと判断することと、
前記ページングスロット中にシステム情報を挿入することと、
前記ページングスロットの間に前記Ｍ２Ｍデバイスに前記システム情報を送信することと
を備える、方法。
【請求項２】
前記システム情報が、セル識別子（ＩＤ）、セクタＩＤ、タイミング情報、または前記Ｍ２ＭワイヤレスＷＡＮにおいて順方向リンク上で送信される物理レイヤフレームの数を備える、請求項１に記載の方法。
【請求項３】
前記識別されたメッセージの前記メッセージタイプを前記判断することは、
前記ページングスロットのフィールド中の識別子を分析すること
を備える、請求項１に記載の方法。
【請求項４】
前記識別子を分析することは、
前記ページングスロット中の前記メッセージの前記メッセージタイプを示すための１つまたは複数のビットを備える前記ページングスロット中のフィールドを識別することと、
前記１つまたは複数のビットによって識別される前記メッセージタイプに基づいて前記ページングスロットが利用可能容量を含むと判断することと
をさらに備える、請求項３に記載の方法。
【請求項５】
前記Ｍ２ＭワイヤレスＷＡＮにおいて順方向リンク上のワイヤレスＭ２Ｍ通信のための物理レイヤフレームを生成することをさらに備え、前記フレームが、ページングチャネルを備える第１のチャネルと、肯定応答（ＡＣＫ）チャネルを備える第２のチャネルと、トラフィックチャネルを備える第３のチャネルとを含む３つ以下のチャネルを備え、前記ページングチャネルが前記ページングスロットの間にデータを送信する、請求項１に記載の方法。
【請求項６】
前記ページングチャネルを備える前記第１のチャネルの長さと前記ＡＣＫチャネルを備える前記第２のチャネルの長さとがそれぞれ５ミリ秒（ｍｓ）であり、前記トラフィックチャネルを備える前記第２のチャネルの長さが１０ｍｓである、請求項５に記載の方法。
【請求項７】
前記Ｍ２Ｍデバイスに割り当てられた物理レイヤフレームのタイムスロットを識別することと、
前記識別されたタイムスロットの間に前記Ｍ２Ｍデバイスにデータを送信することと
をさらに備える、請求項１に記載の方法。
【請求項８】
前記識別されたメッセージの前記メッセージタイプが、ヌルメッセージタイプを備える、請求項１に記載の方法。
【請求項９】
前記ヌルメッセージタイプのメッセージが、前記ワイヤレスＷＡＮ中の各Ｍ２Ｍデバイスに宛てられる、請求項８に記載の方法。
【請求項１０】
マシンツーマシン（Ｍ２Ｍ）ワイヤレスワイドエリアネットワーク（ＷＡＮ）におけるワイヤレス通信のために構成された基地局であって、
プロセッサと、
前記プロセッサと電子通信しているメモリと、
前記メモリに記憶された命令と
を備え、前記命令は、
前記Ｍ２ＭワイヤレスＷＡＮにおいてＭ２Ｍデバイスのためのページングスロットを生成することと、
前記ページングスロット中のメッセージを識別することと、
前記識別されたメッセージのメッセージタイプを判断することと、
前記判断されたメッセージタイプに少なくとも部分的に基づいて、前記ページングスロットが利用可能容量を含むと判断することと、
前記ページングスロット中にシステム情報を挿入することと、
前記ページングスロットの間に前記Ｍ２Ｍデバイスに前記システム情報を送信することと
を行うように前記プロセッサによって実行可能である、基地局。
【請求項１１】
前記システム情報が、セル識別子（ＩＤ）、セクタＩＤ、タイミング情報、または前記Ｍ２ＭワイヤレスＷＡＮにおいて順方向リンク上で送信される物理レイヤフレームの数を備える、請求項１０に記載の基地局。
【請求項１２】
前記識別されたメッセージの前記メッセージタイプを判断するための前記命令は、
前記ページングスロットのフィールド中の識別子を分析する
ように前記プロセッサによってさらに実行可能である、請求項１０に記載の基地局。
【請求項１３】
前記識別子を分析するための前記命令は、
前記ページングスロット中の前記メッセージの前記メッセージタイプを示すための１つまたは複数のビットを備える前記ページングスロット中のフィールドを識別することと、
前記１つまたは複数のビットによって識別される前記メッセージタイプに基づいて前記ページングスロットが利用可能容量を含むと判断することと
を行うように前記プロセッサによってさらに実行可能である、請求項１２に記載の基地局。
【請求項１４】
前記命令が、
前記Ｍ２ＭワイヤレスＷＡＮにおいて順方向リンク上のワイヤレスＭ２Ｍ通信のための物理レイヤフレームを生成するように前記プロセッサによってさらに実行可能であり、前記フレームが、ページングチャネルを備える第１のチャネルと、肯定応答（ＡＣＫ）チャネルを備える第２のチャネルと、トラフィックチャネルを備える第３のチャネルとを含む３つ以下のチャネルを備え、前記ページングチャネルが前記ページングスロットの間にデータを送信する、
請求項１０に記載の基地局。
【請求項１５】
前記ページングチャネルを備える前記第１のチャネルの長さと前記ＡＣＫチャネルを備える前記第２のチャネルの長さとがそれぞれ５ミリ秒（ｍｓ）であり、前記トラフィックチャネルを備える前記第２のチャネルの長さが１０ｍｓである、請求項１４に記載の基地局。
【請求項１６】
前記命令が、
前記Ｍ２Ｍデバイスに割り当てられた物理レイヤフレームのタイムスロットを識別することと、
前記識別されたタイムスロットの間に前記Ｍ２Ｍデバイスにデータを送信することと
を行うように前記プロセッサによってさらに実行可能である、請求項１０に記載の基地局。
【請求項１７】
前記識別されたメッセージの前記メッセージタイプが、ヌルメッセージタイプを備える、請求項１０に記載の基地局。
【請求項１８】
前記ヌルメッセージタイプのメッセージが、前記ワイヤレスＷＡＮ中の各Ｍ２Ｍデバイスに宛てられる、請求項１７に記載の基地局。
【請求項１９】
マシンツーマシン（Ｍ２Ｍ）ワイヤレスワイドエリアネットワーク（ＷＡＮ）におけるワイヤレス通信のために構成された装置であって、
前記Ｍ２ＭワイヤレスＷＡＮにおいてＭ２Ｍデバイスのためのページングスロットを生成するための手段と、
前記ページングスロット中のメッセージを識別するための手段と、
前記識別されたメッセージのメッセージタイプを判断するための手段と、
前記判断されたメッセージタイプに少なくとも部分的に基づいて、前記ページングスロットが利用可能容量を含むと判断するための手段と、
前記ページングスロット中にシステム情報を挿入するための手段と、
前記ページングスロットの間に前記Ｍ２Ｍデバイスに前記システム情報を送信するための手段と
を備える、装置。
【請求項２０】
前記システム情報が、セル識別子（ＩＤ）、セクタＩＤ、タイミング情報、または前記Ｍ２ＭワイヤレスＷＡＮにおいて順方向リンク上で送信される物理レイヤフレームの数を備える、請求項１９に記載の装置。
【請求項２１】
前記識別されたメッセージの前記メッセージタイプを判断するための前記手段は、
前記ページングスロットのフィールド中の識別子を分析するための手段
を備える、請求項１９に記載の装置。
【請求項２２】
前記識別子を分析するための前記手段は、
前記ページングスロット中の前記メッセージの前記メッセージタイプを示すための１つまたは複数のビットを備える前記ページングスロット中のフィールドを識別するための手段と、
前記１つまたは複数のビットによって識別される前記メッセージタイプに基づいて前記ページングスロットが利用可能容量を含むと判断するための手段と
をさらに備える、請求項２１に記載の装置。
【請求項２３】
前記Ｍ２ＭワイヤレスＷＡＮにおいて順方向リンク上のワイヤレスＭ２Ｍ通信のための物理レイヤフレームを生成するための手段をさらに備え、前記フレームが、ページングチャネルを備える第１のチャネルと、肯定応答（ＡＣＫ）チャネルを備える第２のチャネルと、トラフィックチャネルを備える第３のチャネルとを含む３つ以下のチャネルを備え、前記ページングチャネルが前記ページングスロットの間にデータを送信する、請求項１９に記載の装置。
【請求項２４】
前記ページングチャネルを備える前記第１のチャネルの長さと前記ＡＣＫチャネルを備える前記第２のチャネルの長さとがそれぞれ５ミリ秒（ｍｓ）であり、前記トラフィックチャネルを備える前記第２のチャネルの長さが１０ｍｓである、請求項２３に記載の装置。
【請求項２５】
前記Ｍ２Ｍデバイスに割り当てられた物理レイヤフレームのタイムスロットを識別するための手段と、
前記識別されたタイムスロットの間に前記Ｍ２Ｍデバイスにデータを送信するための手段と
をさらに備える、請求項１９に記載の装置。
【請求項２６】
前記識別されたメッセージの前記メッセージタイプが、ヌルメッセージタイプを備える、請求項１９に記載の装置。
【請求項２７】
前記ヌルメッセージタイプのメッセージが、前記ワイヤレスＷＡＮ中の各Ｍ２Ｍデバイスに宛てられる、請求項２６に記載の装置。
【請求項２８】
マシンツーマシン（Ｍ２Ｍ）ワイヤレスワイドエリアネットワーク（ＷＡＮ）においてワイヤレス通信を管理するためのコンピュータプログラムであって、前記コンピュータプログラムは、
前記Ｍ２ＭワイヤレスＷＡＮにおいてＭ２Ｍデバイスのためのページングスロットを生成することと、
前記ページングスロット中のメッセージを識別することと、
前記識別されたメッセージのメッセージタイプを判断することと、
前記判断されたメッセージタイプに少なくとも部分的に基づいて、前記ページングスロットが利用可能容量を含むと判断することと、
前記ページングスロット中にシステム情報を挿入することと、
前記ページングスロットの間に前記Ｍ２Ｍデバイスに前記システム情報を送信することと
を行うようにプロセッサによって実行可能な命令を記憶した、コンピュータプログラム。
【請求項２９】
前記システム情報が、セル識別子（ＩＤ）、セクタＩＤ、タイミング情報、または前記Ｍ２ＭワイヤレスＷＡＮにおいて順方向リンク上で送信される物理レイヤフレームの数を備える、請求項２８に記載のコンピュータプログラム。
【請求項３０】
前記識別されたメッセージの前記メッセージタイプを判断するための前記命令は、
前記ページングスロットのフィールド中の識別子を分析する
ように前記プロセッサによってさらに実行可能である、請求項２８に記載のコンピュータプログラム。
【請求項３１】
前記識別子を分析するための前記命令は、
前記ページングスロット中の前記メッセージの前記メッセージタイプを示すための１つまたは複数のビットを備える前記ページングスロット中のフィールドを識別することと、
前記１つまたは複数のビットによって識別される前記メッセージタイプに基づいて前記ページングスロットが利用可能容量を含むと判断することと
を行うように前記プロセッサによってさらに実行可能である、請求項３０に記載のコンピュータプログラム。
【請求項３２】
前記コンピュータプログラムが、
前記Ｍ２ＭワイヤレスＷＡＮにおいて順方向リンク上のワイヤレスＭ２Ｍ通信のための物理レイヤフレームを生成するように前記プロセッサによってさらに実行可能な命令を記憶し、前記フレームが、ページングチャネルを備える第１のチャネルと、肯定応答（ＡＣＫ）チャネルを備える第２のチャネルと、トラフィックチャネルを備える第３のチャネルとを含む３つ以下のチャネルを備え、前記ページングチャネルが前記ページングスロットの間にデータを送信する、請求項２８に記載のコンピュータプログラム。
【請求項３３】
前記ページングチャネルを備える前記第１のチャネルの長さと前記ＡＣＫチャネルを備える前記第２のチャネルの長さとがそれぞれ５ミリ秒（ｍｓ）であり、前記トラフィックチャネルを備える前記第２のチャネルの長さが１０ｍｓである、請求項３２に記載のコンピュータプログラム。
【請求項３４】
前記コンピュータプログラムが、
前記Ｍ２Ｍデバイスに割り当てられた物理レイヤフレームのタイムスロットを識別することと、
前記識別されたタイムスロットの間に前記Ｍ２Ｍデバイスにデータを送信することと
を行うように前記プロセッサによってさらに実行可能な命令を記憶した、請求項２８に記載のコンピュータプログラム。
【請求項３５】
前記識別されたメッセージの前記メッセージタイプが、ヌルメッセージタイプを備える、請求項２８に記載のコンピュータプログラム。
【請求項３６】
前記ヌルメッセージタイプのメッセージが、前記ワイヤレスＷＡＮ中の各Ｍ２Ｍデバイスに宛てられる、請求項３５に記載のコンピュータプログラム。
【発明の詳細な説明】
【技術分野】
【０００１】
[0001]以下は、一般にワイヤレス通信に関し、より詳細には、マシンツーマシン（Ｍ２Ｍ：machine-to-machine）ワイヤレスワイドエリアネットワーク（ＷＡＮ：wide area network）における通信に関する。ワイヤレス通信システムは、音声、ビデオ、パケットデータ、メッセージング、ブロードキャスト、センサーデータ、追跡データなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【背景技術】
【０００２】
[0002]概して、ワイヤレス多元接続通信システムは、各々が複数のデバイスのための通信を同時にサポートする、いくつかの基地局を含み得る。いくつかの例では、これらのデバイスは、データを収集し、基地局を介してこのデータをエンドサーバに送信するように構成されたセンサーおよび／またはメーターであり得る。これらのセンサーおよび／またはメーターはＭ２Ｍデバイスと呼ばれることがある。基地局は、順方向リンクおよび逆方向リンク上でＭ２Ｍデバイスと通信し得る。各基地局は、セルのカバレージエリアと呼ばれることがあるカバレージ範囲を有する。基地局は、フレーム内のスロットの間のいくつかのチャネルを使用して情報を送信し得る。Ｍ２Ｍデバイスは、基地局から送信されたデータまたはメッセージを識別するために、複数のフレームのいくつかのスロットの間のチャネルを監視し得る。基地局はいくつかのＭ２Ｍデバイスに様々な情報を送信するので、特定の目的のために確保されたいくつかのスロットがその目的のために必要とされない場合があり得る。。
【発明の概要】
【０００３】
[0003]説明する特徴は、概して、Ｍ２ＭワイヤレスＷＡＮにおいてＭ２Ｍデバイスにシステム情報を送信するために順方向リンクフレームのアイドルページングスロットを再利用するための１つまたは複数の改善されたシステム、方法、および／または装置に関する。他のデータがその間に送信され得る利用可能容量を含むページングスロットは、アイドルページングスロットと呼ばれることがある。アイドルページングスロットの間にシステム情報を送信することにより、そのような情報を送信するために追加の同期チャネルを確立する必要が回避される。追加のチャネルを確立すると、順方向リンクフレームの長さが増加する。フレームの長さが増加すると、Ｍ２Ｍデバイスの起動時間が増加し、それにより、Ｍ２Ｍデバイスがより多くの電力を消費することになる。システム情報を送信するためにアイドルページングスロットを再利用することは、Ｍ２Ｍデバイスの逆電力ならびにＭ２ＭワイヤレスＷＡＮの帯域幅リソースに対してチャネルの最小数のスロットをもつ順方向リンクフレームを維持する。
【０００４】
[0004]一実施形態では、Ｍ２ＭワイヤレスＷＡＮにおけるワイヤレス通信のための方法について説明する。Ｍ２ＭワイヤレスＷＡＮにおけるＭ２Ｍデバイスのためのページングスロットが生成され得る。ページングスロットが利用可能容量を含むという判断が行われ得る。ページングスロット中にシステム情報が挿入され得る。
【０００５】
[0005]一構成では、システム情報は、ページングスロットの間にＭ２Ｍデバイスに送信され得る。システム情報は、セル識別子（ＩＤ：identifier）、セクタＩＤ、タイミング情報、またはＭ２ＭワイヤレスＷＡＮにおいて順方向リンク上で送信される物理レイヤフレームの現在の数を含み得る。
【０００６】
[0006]一実施形態では、ページングスロットが利用可能容量を含むかどうかを判断することは、ページングスロットが利用可能容量を含むかどうかを判断するためにページングスロットのフィールド中の識別子を分析することを含み得る。識別子を分析することは、ページングスロット中のメッセージのメッセージタイプを示すための１つまたは複数のビットを備えるページングスロット中のフィールドを識別することと、１つまたは複数のビットによって識別されるメッセージタイプに基づいてページングスロットが利用可能容量を含むと判断することとを含み得る。
【０００７】
[0007]一構成では、ページングスロットが利用可能容量を含むかどうかを判断することは、ページングスロット中のメッセージを識別することと、メッセージのメッセージタイプを判断することと、メッセージタイプがヌルであると判断すると、ページングスロットを利用可能容量を含むものとして識別することとをさらに含み得る。
【０００８】
[0008]一例では、Ｍ２ＭワイヤレスＷＡＮにおける順方向リンク上のワイヤレスＭ２Ｍ通信のための物理レイヤフレームが生成され得る。フレームは、ページングチャネルを含む第１のチャネルと、肯定応答（ＡＣＫ：acknowledgement）チャネルを含む第２のチャネルと、トラフィックチャネルを含む第３のチャネルとを含む３つ以下のチャネルを含み得る。ページングチャネルは、ページングスロットの間にデータを送信し得る。ページングチャネルを含む第１のチャネルの長さと、ＡＣＫチャネルを含む第２のチャネルの長さとは５ミリ秒（ｍｓ）であり得る。トラフィックチャネルを含む第２のチャネルの長さは１０ｍｓであり得る。
【０００９】
[0009]一実施形態では、Ｍ２Ｍデバイスに割り当てられた物理レイヤフレームのタイムスロットが識別され得る。識別されたタイムスロットの間にＭ２Ｍデバイスにデータが送信され得る。ページングスロットは、ヌルメッセージタイプを含む少なくとも１つのメッセージを含み得る。ヌルメッセージタイプを含む少なくとも１つのメッセージはワイヤレスＷＡＮ中の各Ｍ２Ｍデバイスに宛てられ得る。
【００１０】
[0010]Ｍ２ＭワイヤレスＷＡＮにおけるワイヤレス通信のために構成された基地局についても説明する。基地局は、プロセッサと、プロセッサと電子通信しているメモリとを含み得る。メモリに記憶された命令、命令は、Ｍ２ＭワイヤレスＷＡＮにおいてＭ２Ｍデバイスのためのページングスロットを生成することと、ページングスロットが利用可能容量を含むと判断することと、ページングスロット中にシステム情報を挿入することとを行うようにプロセッサによって実行可能である。
【００１１】
[0011]Ｍ２ＭワイヤレスＷＡＮにおけるワイヤレス通信のために構成された装置についても説明する。本装置は、Ｍ２ＭワイヤレスＷＡＮにおいてＭ２Ｍデバイスのためのページングスロットを生成するための手段と、ページングスロットが利用可能容量を含むと判断するための手段と、ページングスロット中にシステム情報を挿入するための手段とを含み得る。
【００１２】
[0012]Ｍ２ＭワイヤレスＷＡＮにおいてワイヤレス通信を管理するためのコンピュータプログラム製品についても説明する。コンピュータプログラム製品は、Ｍ２ＭワイヤレスＷＡＮにおいてＭ２Ｍデバイスのためのページングスロットを生成することと、ページングスロットが利用可能容量を含むと判断することと、ページングスロット中にシステム情報を挿入することとを行うようにプロセッサによって実行可能な命令を記憶した非一時的コンピュータ可読媒体を含み得る。
【００１３】
[0013]説明する方法および装置の適用性のさらなる範囲は、以下の発明を実施するための形態、特許請求の範囲、および図面から明らかになろう。当業者には発明を実施するための形態の範囲内の様々な変更および改変が明らかになるので、発明を実施するための形態および特定の例は、例示として与えられるものにすぎない。
【００１４】
[0014]以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００１５】
【図１】[0015]ワイヤレス通信システムのブロック図。
【図２】[0016]Ｍ２Ｍ通信を実装するワイヤレスワイドエリアネットワーク（ＷＡＮ）を含むワイヤレス通信システムの一例を示す図。
【図３Ａ】[0017]ページングシステムの一実施形態を示すブロック図。
【図３Ｂ】[0018]ワイヤレス通信システムの一実施形態を示すブロック図。
【図４Ａ】[0019]様々な実施形態による、順方向リンク通信を管理するためのデバイスを示すブロック図。
【図４Ｂ】[0020]順方向リンク通信モジュールの一実施形態を示すブロック図。
【図５Ａ】[0021]様々な実施形態による、逆方向リンク通信を管理するためのデバイスを示すブロック図。
【図５Ｂ】[0022]逆方向リンク通信モジュールの一実施形態を示すブロック図。
【図６】[0023]様々な実施形態による、順方向リンク通信を管理するためのデバイスを示すブロック図。
【図７】[0024]ページングスロット再利用モジュールの一実施形態を示すブロック図。
【図８】[0025]順方向リンクフレームの一例を示すブロック図。
【図９】[0026]ページングスロットの一例を示すブロック図。
【図１０】[0027]ヌルメッセージの一例を示すブロック図。
【図１１】[0028]様々な実施形態による、アイドルページングスロットを再利用するために構成され得る通信システムのブロック図。
【図１２】[0029]順方向リンク通信を管理するための方法の一例を示すフローチャート。
【図１３】[0030]順方向リンク通信を管理するための方法の別の例を示すフローチャート。
【図１４】[0031]順方向リンク通信を管理するための方法のさらなる例を示すフローチャート。
【発明を実施するための形態】
【００１６】
[0032]順方向リンク通信のために使用されるフレームにおいてスロットの利用可能容量を再利用するための方法、システム、およびデバイスについて説明する。利用可能容量は、スロット中にシステム情報を挿入することによって再利用され得る。現在、基地局からＭ２Ｍデバイスにシステム情報を搬送するために（フレームの追加のスロットの間の）追加のチャネルが確立される。システム情報を搬送するための追加のスロットの間のこれらの追加のチャネルの確立は、Ｍ２Ｍデバイスの電力を不必要に消費し得る。フレームがより長い（より多くのタイムスロットを有する）ので、デバイスは、より長い時間期間の間、アウェイクモードのままであるように要求され得る。追加のチャネルはまた、システム情報を搬送するためにネットワークのさらなる帯域幅を消費し得る。システム情報を送信するために既存のスロットを再利用することにより、順方向リンクフレームは持続時間が短いままであることが可能になり得、それにより、Ｍ２Ｍデバイスはより早い時間にスリープモードに戻ることが可能になる。
【００１７】
[0033]本システムおよび本方法の各個々の順方向リンクフレームのフォーマットは、Ｍ２Ｍデバイスにシステム情報を送信するために余分のチャネルをもつ余分のタイムスロットを生成する必要を回避し得る。一例では、システム情報は、代わりに、チャネルが全容量で送信していない既存のタイムスロットの間に送信され得る。その結果、本明細書で説明する順方向リンクフレームのフォーマットは、Ｍ２Ｍデバイスが、システム情報を収集するためにより短い時間期間の間アウェイクモードにあることを可能にする。さらに、システム情報を送信するために追加のチャネルを確立する必要を回避することによってネットワークの帯域幅が維持され得る。したがって、本明細書で説明する順方向リンクフレームの構造は、システム情報を搬送するために再利用され得る最小数のタイムスロットおよびチャネルを含む。タイムスロットは、それがアイドルであるときに再利用され得る。タイムスロットは、たとえば、タイムスロットの間のチャネルが全容量で送信していないときにアイドルであり得る。物理レイヤフレームのアイドルタイムスロットを再利用することにより、ワイヤレスＭ２Ｍ  ＷＡＮにおいて基地局と通信するＭ２Ｍデバイスに電力効率が与えられ得、ワイヤレスＷＡＮの帯域幅リソースが節約され得る。
【００１８】
[0034]以下の説明は、例を与えるものであり、特許請求の範囲において記載された範囲、適用性、または構成を限定するものではない。本開示の範囲から逸脱することなく、説明する要素の機能および構成において変更が行われ得る。様々な実施形態は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００１９】
[0035]最初に図１を参照すると、ブロック図に、ワイヤレス通信システム１００の一例が示されている。システム１００は、基地局１０５（またはセル）と、マシンツーマシン（Ｍ２Ｍ）デバイス１１５と、基地局コントローラ１２０と、コアネットワーク１３０とを含む（コントローラ１２０はコアネットワーク１３０に組み込まれ得る）。システム１００は、複数のキャリア（異なる周波数の波形信号）上での動作をサポートし得る。
【００２０】
[0036]基地局１０５は、基地局アンテナ（図示せず）を介してＭ２Ｍデバイス１１５とワイヤレス通信し得る。基地局１０５は、複数のキャリアを介して基地局コントローラ１２０の制御下でＭ２Ｍデバイス１１５と通信し得る。基地局１０５サイトの各々は、それぞれの地理的エリアに通信カバレージを与え得る。ここでは、各基地局１０５のためのカバレージエリアは１１０−ａ、１１０−ｂ、または１１０−ｃとして識別される。基地局のためのカバレージエリアは、セクタ（図示しないが、カバレージエリアの一部分のみを構成する）に分割され得る。システム１００は、異なるタイプの基地局１０５（たとえば、マクロ基地局、ピコ基地局、および／またはフェムト基地局）を含み得る。マクロ基地局は比較的大きい地理的エリア（たとえば、半径３５ｋｍ）に通信カバレージを与え得る。ピコ基地局は比較的小さい地理的エリア（たとえば、半径１０ｋｍ）にカバレージを与え得、フェムト基地局は比較的より小さい地理的エリア（たとえば、ラジウム１ｋｍ）に通信カバレージを与え得る。異なる技術について重複するカバレージエリアがあり得る。
【００２１】
[0037]Ｍ２Ｍデバイス１１５はカバレージエリア１１０全体にわたって分散され得る。各Ｍ２Ｍデバイス１１５は固定または移動であり得る。一構成では、Ｍ２Ｍデバイス１１５は、限定はしないが、マクロ基地局、ピコ基地局、およびフェムト基地局など、異なるタイプの基地局と通信することが可能であり得る。Ｍ２Ｍデバイス１１５は、他のデバイス、環境条件などを監視および／または追跡するセンサーおよび／またはメーターであり得る。Ｍ２Ｍデバイス１１５によって収集された情報は、基地局１０５を含むネットワーク上でサーバなどのバックエンドシステムに送信され得る。Ｍ２Ｍデバイス１１５への／からのデータの送信は、基地局１０５を通してルーティングされ得る。基地局１０５は順方向リンク上でＭ２Ｍデバイスと通信し得る。一構成では、基地局１０５は、Ｍ２Ｍデバイス１１５にデータおよび／またはメッセージを搬送するためのチャネルを含むいくつかのタイムスロットをもつ順方向リンクフレームを生成し得る。一例では、各順方向リンクフレームは、３つ以下のタイムスロットおよび対応するチャネルを含み得る。これらのスロットおよびチャネルは、ページングチャネルをもつページングスロットと、ＡＣＫチャネルをもつＡＣＫスロットと、トラフィックチャネルをもつトラフィックスロットとを含み得る。個々のフレームの長さは短くなり得る（たとえば、２０ミリ秒（ｍｓ））。一実施形態では、４つのフレームが接合されて、８０ｍｓの持続時間をもつより大きいフレームが形成され得る。より大きいフレーム中に含まれる各フレームは、ページングチャネルのためのページングスロット、ＡＣＫチャネルのためのＡＣＫスロット、およびトラフィックチャネルのためのトラフィックスロットなど、３つ以下のタイムスロットおよびチャネルを含み得る。各フレームのページングチャネルとＡＣＫチャネルとのためのスロットはそれぞれ５ｍｓの長さを有し得、各フレームのトラフィックチャネルのためのトラフィックスロットは１０ｍｓの長さを有し得る。Ｍ２Ｍデバイス１１５は起動し、そのＭ２Ｍデバイス１１５に宛てられたそれのチャネル上にデータおよび／またはメッセージを含む（より大きいフレーム内の）個々のフレームのみを監視し得る。
【００２２】
[0038]一構成では、フレームの特定のタイムスロットのチャネルは、一定数のメッセージを搬送するための容量を有し得る。場合によっては、タイムスロットの間のチャネル上のメッセージの数はチャネルの全容量よりも少なくなり得る。十分に利用されていないチャネルをもつタイムスロットはアイドルタイムスロットと呼ばれることがある。一構成では、本システムおよび方法は、アイドルタイムスロットの間にチャネルにシステム情報を挿入し得る。次いで、この情報を送信するためにフレームの追加のタイムスロットの間に追加のチャネルを生成する代わりに、システム情報は、アイドルタイムスロットの間に１つまたは複数のＭ２Ｍデバイス１１５に送信され得る。
【００２３】
[0039]一実施形態では、Ｍ２Ｍデバイス１１５は他のデバイスに組み込まれ得るか、またはＭ２Ｍデバイス１１５はスタンドアロンデバイスであり得る。たとえば、セルラーフォンおよびワイヤレス通信デバイス、携帯情報端末（ＰＤＡ）、他のハンドヘルドデバイス、ネットブック、ノートブックコンピュータ、監視カメラ、ハンドル付き医療用走査デバイス、家庭用電気器具などなどのデバイスが１つまたは複数のＭ２Ｍデバイス１１５を含み得る。
【００２４】
[0040]一例では、ネットワークコントローラ１２０は、基地局のセットに結合され、これらの基地局１０５の調整および制御を行い得る。コントローラ１２０は、バックホール（たとえば、コアネットワーク１２５）を介して基地局１０５と通信し得る。基地局１０５はまた、直接もしくは間接的におよび／またはワイヤレスバックホールもしくはワイヤラインバックホールを介して互いに通信し得る。
【００２５】
[0041]図２に、一態様による、Ｍ２Ｍサービスを実装するワイヤレスワイドエリアネットワーク（ＷＡＮ）２０５を含むワイヤレス通信システム２００の一例を示す。システム２００は、いくつかのＭ２Ｍデバイス１１５−ａと、Ｍ２Ｍサーバ２１０とを含み得る。サーバ２１０とＭ２Ｍデバイス１１５との間の通信は、ＷＡＮ２０５の一部と見なされ得る基地局１０５を通してルーティングされ得る。基地局１０５−ａは、図１に示された基地局の一例であり得る。Ｍ２Ｍデバイス１１５−ａは、図１に示されたＭ２Ｍデバイス１１５の例であり得る。図２に示されたＭ２Ｍデバイス１１５−ａ、ＷＡＮ２０５、およびＭ２Ｍサーバ２１０の量は例示のためにすぎず、限定するものとして解釈されるべきでないことを、当業者なら理解されよう。
【００２６】
[0042]ワイヤレス通信システム２００は、Ｍ２Ｍ通信を可能にするように動作可能であり得る。Ｍ２Ｍ通信は、人間の介入がない１つまたは複数のデバイス間の通信を含み得る。一例では、Ｍ２Ｍ通信は、ユーザ介入がない、Ｍ２Ｍデバイス１１５−ａなどのリモートマシンと、Ｍ２Ｍサーバ２１０などのバックエンドＩＴインフラストラクチャとの間のデータの自動交換を含み得る。ＷＡＮ２０５（たとえば、基地局１０５−ａ）を介したＭ２Ｍデバイス１１５−ａからＭ２Ｍサーバ２１０へのデータの転送が、逆方向リンク通信を使用して実行され得る。Ｍ２Ｍデバイス１１５−ａによって収集されたデータ（たとえば、監視データ、センサーデータ、メーターデータなど）が逆方向リンク通信上でＭ２Ｍサーバ２１０に転送され得る。
【００２７】
[0043]基地局１０５−ａを介したＭ２Ｍサーバ２１０からＭ２Ｍデバイス１１５−ａへのデータの転送は順方向リンク通信を介して実行され得る。順方向リンクは、Ｍ２Ｍデバイス１１５−ａに命令、ソフトウェアアップデート、および／またはメッセージを送るために使用され得る。命令は、機器、環境条件などをリモートで監視するようにＭ２Ｍデバイス１１５−ａに命令し得る。Ｍ２Ｍ通信は、限定はしないが、リモート監視、測定および状態記録、フリート管理およびアセット追跡、インフィールド（in-field）データ収集、配信、および記憶など、様々な適用例とともに使用され得る。基地局１０５−ａは、命令、ソフトウェアアップデート、および／またはメッセージを送信するためのチャネルをもつ少数のタイムスロットをもつ１つまたは複数の順方向リンクフレームを生成し得る。様々なＭ２Ｍデバイス１１５−ａは、特定のフレームのタイムスロットの間のチャネル上に命令または他のデータが含まれるとき、そのフレームを監視するために起動し得る。
【００２８】
[0044]一構成では、異なるアドレス指定フォーマットを使用する異なるワイヤレスアクセスネットワークでは、異なるタイプのＭ２Ｍ通信が提案され得る。異なるアドレス指定フォーマットは、異なるサービスのために使用される異なるタイプのＭ２Ｍデバイス１１５−ａにつながり得る。一態様では、Ｍ２Ｍサーバ２１０と通信するために使用されるＷＡＮ技術とは無関係のＭ２Ｍデバイス１１５−ａを維持し得るＭ２Ｍネットワークが実装され得る。そのような一態様では、Ｍ２Ｍデバイス１１５−ａおよびＭ２Ｍサーバ２１０は、使用されるＷＡＮ技術とは無関係にされ得る。その結果、バックホール通信のために使用されるＷＡＮ技術は、すでに設置されていることがあるＭ２Ｍデバイス１１５−ａに影響を及ぼすことなしに、異なるＷＡＮ技術と置き換えられ得る。たとえば、Ｍ２Ｍデバイス１１５−ａによって使用されるアドレス指定フォーマットが、実装されたＷＡＮ技術によって使用されるアドレス指定に連結されていないことがあるので、Ｍ２Ｍサーバ２１０およびＭ２Ｍデバイス１１５−ａは、ＷＡＮ技術によって使用されるアドレス指定フォーマットには関係なく互いに通信し得る。
【００２９】
[0045]一実施形態では、Ｍ２Ｍデバイス１１５−ａの挙動はあらかじめ定義され得る。たとえば、別のデバイスを監視し、収集された情報を送信すべき日、時間などが、Ｍ２Ｍデバイス１１５−ａについてあらかじめ定義され得る。たとえば、Ｍ２Ｍデバイス１１５−ａ−１は、別のデバイスを監視し始め、第１のあらかじめ定義された時間期間でその別のデバイスに関する情報を収集するようにプログラムされ得る。デバイス１１５−ａ−１はまた、第２のあらかじめ定義された時間期間で、収集された情報を送信するようにプログラムされ得る。Ｍ２Ｍデバイス１１５−ａの挙動は、デバイス１１５−ａに対してリモートでプログラムされ得る。基地局１０５−ａのシグナリングを収集するためにＭ２Ｍデバイス１１５によって使用されるタイミングおよび他の情報は、順方向リンク上でフレームのアイドルタイムスロットの間に送信され得る。この情報を送信するためのアイドルタイムスロットの使用に関する詳細については以下で説明する。
【００３０】
[0046]図３Ａは、基地局１０５−ｂとＭ２Ｍデバイス１１５−ｂとを含むページングシステム３００の一実施形態を示すブロック図である。基地局１０５−ｂは、図１または図２の基地局１０５の一例であり得る。Ｍ２Ｍデバイス１１５−ｂは、図１または図２のＭ２Ｍデバイス１１５の一例であり得る。
【００３１】
[0047]図１または図２のシステムなど、ワイヤレス通信システムでは、バッテリー電力とエアリンクリソースとが効率的な方法でネットワーク接続性をデバイスの大きい集団（たとえば、Ｍ２Ｍデバイス１１５）に与えるために、スリープ状態およびページングの概念が重要である。スリープ状態は、デバイスの送信／受信回路の全部または一部を停止することによってバッテリー電力消費量を最小限に抑えるための動作モードをＭ２Ｍデバイス１１５−ｂに与え得る。さらに、スリープ状態のＭ２Ｍデバイス１１５は専用エアリンクリソースを割り振られないことがあり、したがって、多数のＭ２Ｍデバイスが同時にサポートされ得る。Ｍ２Ｍデバイス１１５−ｂがトラフィックアクティビティを有しない時間間隔の間に、デバイス１１５−ｂは、リソースを節約するためにスリープ状態のままであり得る。
【００３２】
[0048]ページングは、Ｍ２Ｍデバイス１１５−ｂがスリープ状態から周期的に起動することと、順方向リンク通信（たとえば、基地局１０５−ｂからＭ２Ｍデバイス１１５−ｂへの通信）においてページングメッセージ３０５を受信し、処理するようにＭ２Ｍデバイス１１５−ｂを動作させることとを伴い得る。基地局１０５−ｂは、Ｍ２Ｍデバイス１１５−ｂがいつ起動すべきであるかに気づいていることがある。したがって、基地局１０５−ｂがＭ２Ｍデバイス１１５−ｂに連絡するかまたはそれをページングすることを意図した場合、基地局１０５−ｂは、Ｍ２Ｍデバイス３０５が起動してページングチャネルを監視するようにスケジュールされたときに、順方向リンクフレームのページングスロットの一部分の間にページングチャネル中でページングメッセージ３０５を送り得る。基地局１０５−ｂは、Ｍ２Ｍデバイス１１５−ｂがページングメッセージを受信したことを確認するページング応答３１０を受信しなかった場合、基地局１０５−ｂは、ページングスロットの間にページングチャネル上でページングメッセージ３０５をより頻繁に再送信し得る。Ｍ２Ｍデバイス１１５−ｂがページングメッセージ３０５を受信し、ページング応答３１０を送信するまで、および／またはページングメッセージ３０５の一定数の送信が行われるまで、基地局１０５−ｂはページングメッセージ３０５を再送信し得る。
【００３３】
[0049]一構成では、基地局１０５−ｂは、ページングチャネルの１つまたは複数のサブチャネルを使用してページングメッセージ３０５を送信し得る。たとえば、基地局１０５−ｂは、第１のページングサイクルで第１のサブページングチャネル上で第１のページングメッセージを送信し得る。基地局１０５−ｂはまた、第２のページングサイクルで第２のサブページングチャネル上で第２のページングメッセージを送信し得る。場合によっては、第１のページングメッセージと第２のページングメッセージは同じであり得る（たとえば、ページングメッセージ３０５）。さらに、第１のサブページングチャネルと第２のサブページングチャネルも同じであり得る。一実施形態では、ページングメッセージ３０５は、第１のサブページングチャネル上で行われた送信の頻度よりも頻繁に第２のサブチャネル上で送信され得る。
【００３４】
[0050]Ｍ２Ｍデバイス１１５−ｂの２つの連続する起動期間の間の時間間隔は、ページングサイクルと呼ばれることがある。Ｍ２Ｍデバイス１１５−ｂが、ページングメッセージ３０５を受信することに関係する処理を実行していないとき、Ｍ２Ｍデバイス１１５−ｂは、ページングサイクルの一部分の間にスリープ状態で動作し得る。スリープ状態の恩恵を最大にするために、ページングシステム３００は、ページングサイクルのために大きい値を使用し得る。たとえば、データシステムでは、ページングサイクルは約５秒であり得る。上述のように、基地局１０５−ｂが、ページングメッセージ３０５の受信の成功を示すページング応答３１０を受信しなかった場合、基地局１０５−ｂは、ページング応答３１０が受信されるまで、より小さいページングサイクルを使用してページングメッセージ３０５を再送信し得る。ページングメッセージ３０５の再送信は、同じチャネルまたは異なるチャネルを使用して行われ得る。
【００３５】
[0051]一実施形態では、フレームのページングスロットの間に使用されるページングチャネルは、いくつかのページングメッセージ３０５を搬送するのに十分な帯域幅を有し得る。一例では、ページングチャネルは、ページングメッセージ３０５の最大量よりも少なく搬送し得る。基地局１０５−ｂは、ページングスロットの間のページングチャネルの余分の未使用帯域幅中にシステム情報を挿入し得る。システム情報は、基地局１０５−ｂから送信された信号のタイミングを収集するためにいくつかのＭ２Ｍデバイス１１５によって使用され得る。システム情報を送信するためにページングチャネルを再利用することにより、そのような情報を搬送するために（順方向リンクフレームの全体的な長さを増加させ得る）順方向リンクフレームの追加のタイムスロットの間に追加のチャネルをセットアップする必要が回避される。その結果、Ｍ２Ｍデバイス１１５は、それらがアウェイクモードにある時間量を最小限に抑えることによって電力を節約し得る。ページングチャネルを再利用することによって、順方向リンク上で送信されるフレームのタイムスロットが短く保たれ得、それにより、Ｍ２Ｍデバイス１１５ができる限り迅速にスリープモードに戻ることが可能になる。
【００３６】
[0052]ページングメッセージ３０５を受信すると、Ｍ２Ｍデバイス１１５−ｂは、ページングメッセージ３０５において指定された任意の動作を行い得る。たとえば、Ｍ２Ｍデバイス１１５−ｂは、単にページングメッセージ３０５を受信し、スリープ状態に戻り得る。代替的に、Ｍ２Ｍデバイス１１５−ｂは、基地局１０５−ｂとのアクティブ接続を確立するために基地局１０５−ｂにアクセスし得る。
【００３７】
[0053]図３Ｂは、ワイヤレス通信システム３２０の一実施形態を示すブロック図である。システム３２０は、基地局１０５−ｃとＭ２Ｍデバイス１１５−ｃとを含み得る。基地局１０５−ｃおよびＭ２Ｍデバイス１１５−ｃは、図１、図２、または図３Ａの基地局およびＭ２Ｍデバイスの例であり得る。一構成では、基地局１０５−ｃは、順方向リンク通信３２５のために使用される論理チャネルのための限られた数のタイムスロットをもつ順方向リンクフレームを使用してＭ２Ｍデバイス１１５−ｃと通信し得る。Ｍ２Ｍデバイス１１５−ｃは、逆方向リンク通信３３０を使用して基地局１０５−ｃと通信し得る。順方向リンク通信と逆方向リンク通信とを使用して行われる通信は、上記で説明したようにＭ２Ｍ通信であり得る。これらの通信は、基地局１０５−ｃとＭ２Ｍデバイス１１５−ｃとによって使用されるエアインターフェースプロトコルに主に応じて、様々な形態を取り得る。
【００３８】
[0054]基地局１１５−ｃは、一般にそれぞれ順方向リンク通信と逆方向リンク通信とを定義するために周波数帯域のペアを使用して、１つまたは複数のキャリア周波数上で通信するように構成され得る。基地局１１５−ｃはまた、複数のセルセクタを定義するように構成された指向性アンテナ要素のセットを含み得る。所与のキャリア周波数上の各セクタ中のＭ２Ｍ通信は、所与のセクタ中の通信を擬似ランダム雑音（pseudo-random noise）オフセット（「ＰＮオフセット」）などのセクタ固有コードで変調することによって、他のセクタ中の通信と区別され得る。さらに、各セクタ中のＭ２Ｍ通信は、それぞれ時分割多重化（ＴＤＭ）を通して定義され得る制御チャネルとトラフィックチャネルとに分割され得る。
【００３９】
[0055]一実施形態では、信号は、順方向リンク通信３２５および逆方向リンク通信３３０上でフレームフォーマットで送信され得る。フレームフォーマット内で、情報は、通信リンク３２５、３３０を介して通信されるべき実際のペイロードデータに従ってパケット化され、フォーマットされ得る。一構成では、順方向リンク通信３２５上で送信されるフレームのフォーマットは、様々なチャネルのための様々なタイムスロットを含み得る。一実施形態では、フレームは、ページングチャネルのためのページングスロットと、ＡＣＫチャネルのためのＡＣＫスロットと、トラフィックチャネルのためのトラフィックスロットとを含み得る。上述のように、ページングチャネルは、ページングスロットの間にＭ２Ｍデバイス１１５−ｃにページングメッセージ３０５および／またはシステム情報を送信するために使用され得る。ＡＣＫチャネルは、信号が基地局１０５−ｃにおいて正常に受信されたとき、ＡＣＫタイムスロットの間にＭ２ＭデバイスにＡＣＫメッセージを送信するために使用され得る。トラフィックチャネルは、トラフィックタイムスロットの間にＭ２Ｍデバイス１１５−ｃにデータを送信するために使用され得る。Ｍ２Ｍ通信において順方向リンク通信３２５上で使用されるフレームは短いデューティサイクルに基づき得る。
【００４０】
[0056]保存者電力に対して、Ｍ２Ｍデバイス１１５は、データ、ページングメッセージ３０５などを受信するために特定の順方向リンクフレームの特定のタイムスロットの間にのみ起動し得る。その結果、Ｍ２Ｍ通信におけるフレーム構造はＭ２Ｍデバイスごとにスロット化され得る。たとえば、第１のフレームは、第１のＭ２Ｍデバイス１１５に宛てられたデータを搬送する（第１のページングチャネルのための）第１のページングスロットを含み得る。第２、第３、および第４のフレームは、それぞれ第２、第３、および第４のページングスロットを含み得る。第２、第３、および第４のＭ２Ｍデバイスは、それぞれこれらのスロット上のデータを受信し得る。一実施形態では、Ｍ２Ｍデバイス１１５−ｃは、デバイス１１５−ｃがそれのデータを受信すると期待することができるスロットを判断するために、デバイス１１５−ｃの識別情報（ＩＤ）と、予想されるデータレートにおけるスロットの数と、予想されるデータレートにおけるユーザの総数とに対してハッシング関数のセットを使用し得る。したがって、各デバイス１１５は、それのデータを取り出すために必要とされるフレームのスロットについてのみ起動するように要求され得る。さらに、ページングチャネルは、一般にフレームの追加のタイムスロットの追加の制御チャネル上で送信されるシステム情報を送信するために使用され得る。制御チャネルのための追加のタイムスロットはフレームの長さを増し、それにより、Ｍ２Ｍデバイス１１５は、より長い時間期間の間アウェイクモードのままであるように要求され得る。ページングスロットの間のページングチャネルの再利用により、順方向リンクフレームの時間の間が維持される。その結果、Ｍ２Ｍデバイス１１５のバッテリー電力と、ワイヤレスＭ２Ｍ  ＷＡＮのエアインターフェースリソースとが節約され得る。
【００４１】
[0057]一構成では、通信リソースを維持するために、Ｍ２Ｍデバイス１１５−ｃは、本システムおよび方法に従って、スリープ状態に戻るために、基地局１０５−ｃから送信されたメッセージの日和見的（opportunistic）復号を実行し得る。一実施形態では、基地局１０５−ｃは、１つまたは複数の順方向リンクフレームを生成し、それらの１つまたは複数の順方向リンクフレームのチャネルを使用してＭ２Ｍデバイス１１５−ｃにメッセージの複数のコピーを送信し得る。メッセージの各コピーは、フレームのチャネルのサブチャネル中で高データレートで送られ得る。Ｍ２Ｍデバイス１１５−ｃは、メッセージを正常に復調するために必要とされるコピー数のメッセージを読み取り得る。一構成では、Ｍ２Ｍデバイス１１５−ｃは、基地局１０５−ｃから送信されたパイロット信号からの受信信号強度に基づいて、Ｍ２Ｍデバイス１１５−ｃがメッセージを復号するために受信する必要があるメッセージのコピー数を推定し得る。メッセージを正常に復号すると、デバイス１１５−ｃは、スリープ状態に戻り、その後、ＡＣＫメッセージを生成し、基地局１０５−ｃに返信し得る。メッセージの追加のコピーがサブチャネル中に残っている場合、基地局１０５−ｃはそれらの追加のコピーを送信し続け得る。一構成では、デバイス１１５−ｃは、メッセージが受信されたことを示すＡＣＫメッセージを基地局に送信しないことによってバッテリー電力を節約し得る。
【００４２】
[0058]一実施形態では、Ｍ２Ｍデバイス１１５−ｃのバッテリー電力、およびＭ２Ｍデバイス１１５−ｃと基地局１０５−ｃとの間のエアインターフェースリソースを節約するために、逆方向リンク通信３３０は早く終了され得る。上記のように、順方向リンクフレームはＡＣＫチャネルを含み得る。基地局１０５−ｃは、逆方向リンク通信３３０を使用してＭ２Ｍデバイス１１５−ｃから送られた逆方向リンク物理レイヤパケットの受信に肯定応答するために、ＡＣＫチャネルを使用し得る。一構成では、より高い逆方向リンクデータレートに対応するＡＣＫは、より高い順方向リンクデータレートで基地局１０５−ｃからＭ２Ｍデバイス１１５−ｃに送信され得る。より低い逆方向リンクデータレートに対応するＡＣＫは、より低い順方向リンクデータレートで送信され得る。その結果、各ＡＣＫを最も低いデータレートで送るのではなく、それは２つの異なるデータレートで、したがって、２つの異なるパケットフォーマットで送られ得る。ＡＣＫがより高いデータレートでＭ２Ｍデバイス１１５−ｃに送信されたとき、デバイス１１５−ｃは、そのＡＣＫをより迅速に受信し、復号し得、したがって、順方向リンクＡＣＫスループットが増加し、ＡＣＫが低データレートを使用して送信された場合よりもより早い時間期間に逆方向リンク通信３３０が終了する。
【００４３】
[0059]一構成では、逆方向リンク通信３３０の動作帯域は複数の逆方向リンク周波数チャネルに分割され得る。各周波数チャネル内で、複数のＭ２Ｍデバイス１１５のための逆方向リンク通信を多重化するためにＣＤＭＡ技法が使用され得る。一例では、各逆方向リンク周波数チャネルはそれ自体のライズオーバサーマル（ＲＯＴ：rise over thermal）動作点を有し得る。少なくとも１つの周波数チャネルが低データレートランダムアクセスチャネルとして専用化され得る。逆方向リンク通信３３０の動作帯域を分割すると、逆方向リンク通信に低ＲＯＴ動作ターゲット（たとえば、１デシベル（ｄＢ）以下）が与えられ得る。低ＲＯＴは、経路損失が大きいロケーション中のデバイスのためのリンクバジェット要件を低減し得る。
【００４４】
[0060]一例では、Ｍ２Ｍデバイス１１５−ｃの電力効率を高めるために、逆方向リンク通信３３０のために狭帯域周波数分割多元接続（ＦＤＭＡ）技法が使用され得る。この技法は、逆方向リンク通信３３０の動作帯域をいくつかの狭帯域周波数チャネルに分割することを含み得る。基地局１０５−ｃは、各狭帯域チャネルのステータスおよび割当てを各Ｍ２Ｍデバイス１１５にブロードキャストし得る。ステータスは「ビジー」または「アイドル」であり得る。一実施形態では、Ｍ２Ｍデバイス１１５−ｃは、狭帯域周波数チャネルがデバイス１１５−ｃに割り当てられた場合のみ、データを送信し得る。信号対干渉雑音比（ＳＩＮＲ）分布を活用し、逆方向リンク通信３３０において複数のデータレートをサポートするために、狭帯域ＦＤＭＡ技法に（上記で説明した）逆方向リンク通信３３０の早い終了が組み込まれ得る。
【００４５】
[0061]次に図４Ａを参照すると、ブロック図が、様々な実施形態による、順方向リンク通信を管理するためのデバイス４００を示している。デバイス４００は、図１、図２、図３Ａ、および／または図３Ｂに関して説明した基地局１０５の１つまたは複数の態様の一例であり得る。デバイス４００はまた、プロセッサであり得る。デバイス４００は、受信機モジュール４０５、順方向リンク通信モジュール４１０、および／または送信機モジュール４１５を含み得る。これらの構成要素の各々は互いに通信中であり得る。
【００４６】
[0062]デバイス４００のこれらの構成要素は、ハードウェアにおいて適用可能な機能の一部または全部を実行するように適応された１つまたは複数の特定用途向け集積回路（ＡＳＩＣ）とともに、個々にまたはまとめて実装され得る。代替的に、それらの機能は、１つまたは複数の他の処理ユニット（またはコア）によって、１つまたは複数の集積回路上で実行され得る。他の実施形態では、当技術分野で知られている任意の様式でプログラムされ得る他のタイプの集積回路（たとえば、ストラクチャードＡＳＩＣ／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００４７】
[0063]受信機モジュール４０５は、パケット、データ、および／またはデバイス４００が受信または送信したものに関するシグナリング情報などの情報を受信し得る。受信された情報は、様々な目的のために順方向リンク通信モジュール４１０によって利用され得る。
【００４８】
[0064]受信機モジュール４０５は、逆方向リンク通信３３０を使用してＭ２Ｍデバイス１１５から送られた逆方向リンク物理レイヤパケットを受信するように構成され得る。受信機モジュール４０５はまた、Ｍ２Ｍデバイス１１５に通信するためにバックエンドサーバから命令、動作のセット、メッセージなどを受信するように構成され得る。順方向リンク通信モジュール４１０は１つまたは複数の順方向リンクフレームを生成し得る。これらのフレームは、論理チャネルのために使用される最小数のタイムスロットを含む短いデューティサイクルフレームであり得る。順方向リンクフレームは、複数のＭ２Ｍデバイスとの通信のためにスロット化され得る。順方向リンクフレームに関する詳細については以下で説明する。
【００４９】
[0065]順方向リンク通信モジュール４１０は、パケットが逆方向リンク３３０上で正常に受信されたことを示すＡＣＫメッセージを生成し得る。送信機モジュール４１５は、順方向リンクフレーム中でＭ２Ｍデバイス１１５にＡＣＫメッセージを送信するように構成され得る。順方向リンクフレーム中でＡＣＫチャネルを最も低いデータレートで送信する代わりに、それはより高いデータレートで送信され得、したがって、前に説明したように、受信機４０５によって逆方向リンク３３０上で受信される通信の終了が早くなる。
【００５０】
[0066]一実施形態では、順方向リンク通信モジュール４１０は、送信機モジュール４１５を介していくつかのＭ２Ｍデバイス１１５に送信すべきいくつかのページングメッセージ３０５を生成し得る。ページングメッセージ３０５は、デバイス１１５に宛てられたデータが、順方向リンクフレームのトラフィックタイムスロットの間にトラフィックチャネル上で利用可能であることを特定のＭ２Ｍデバイス１１５にアラートし得る。一構成では、ページングチャネルは、ページングタイムスロットの間にページングメッセージ３０５を送信し得る。一構成では、ページングチャネルは、ページングメッセージ３０５の最大数よりも少なく送信し得る。ページングチャネルが最大数のページングメッセージ３０５を送信しない場合、ページングスロットはアイドルであると判断され得る。ページングチャネルの未使用容量は、ページングチャネルにシステム情報を挿入することによって利用され得る。システム情報は、次いで、順方向リンクフレームのページングタイムスロットの間にページングチャネル上でＭ２Ｍデバイス１１５にブロードキャストされ得る。このタイプの情報を送信するために順方向リンクフレームにおける追加のチャネルおよびタイムスロットは回避される。代わりに、システム情報を送信するためにアイドルページングタイムスロットが再利用され得る。
【００５１】
[0067]Ｍ２Ｍデバイス１１５がページングメッセージ３０５を正常に受信したとき、受信機モジュール４０５はページング応答３１０を受信し得る。受信機モジュール４０５がページング応答３１０を受信しなかったとき、順方向リンク通信モジュール４１０は、ページングメッセージ３０５を再送信するように送信機モジュール４１５に命令するように構成され得る。送信機モジュール４１５は、ページングメッセージ３０５の元の送信よりも高い頻度でメッセージ３０５を再送信し得る。受信機モジュール４０５によってページング応答３１０が受信されたとき、および／またはメッセージ３０５の一定数の再送信が送信された後に、送信機モジュール４１５は再送信を中止し得る。送信機モジュール４１５は、同じページングチャネル上でまたは異なる順方向リンクフレームの異なるページングチャネル上でページングメッセージ３０５を送信および再送信し得る。一構成では、ページングメッセージ３０５を送信するためにページングチャネルが必要とされないとき、順方向リンク通信モジュール４１０は、システム情報を生成し、順方向リンクフレームのページングチャネル中に挿入し得る。送信機モジュール４１５は、フレームのページングチャネル中でシステム情報をＭ２Ｍデバイス１１５に送信し得る。一構成では、送信機４１５は、複数のフレームの複数のページングチャネルを使用して情報を送信し得る。各ページングチャネルは異なるページングサイクルを有し得る。
【００５２】
[0068]図４Ｂは、順方向リンク通信モジュール４１０−ａの一実施形態を示すブロック図である。モジュール４１０−ａは、図４Ａの順方向リンク通信モジュールの一例であり得る。一例では、モジュール４１０−ａは、順方向リンクフレーム生成モジュール４２０と、ＡＣＫ生成モジュール４２５と、ページングスロット再利用モジュール４３０と、ページングサイクル選択モジュール４３５と、ページングチャネル選択モジュール４４０と、共有トラフィックチャネルフォーマッティングモジュール４４５とを含み得る。
【００５３】
[0069]順方向リンクフレーム生成モジュール４２０は、順方向リンク３２５上での（たとえば、基地局からＭ２Ｍデバイスへの）通信のために使用されるべき物理レイヤフレームを生成し得る。生成されたフレームは、短いデューティサイクルと、少数のスロット化物理レイヤチャネルとに基づき得る。たとえば、モジュール４２０は、合計２０ミリ秒（ｍｓ）である順方向リンク物理レイヤフレームを生成し得る。その結果、Ｍ２Ｍデバイス１１５は、順方向リンクフレームを受信するために２０ｍｓ間だけ起動する必要があり得る。したがって、Ｍ２Ｍデバイス１１５において電力が節約され得る。モジュール４２０によって生成されるフレームのスロット化動作により、Ｍ２Ｍデバイス１１５は、それがデータを期待するフレームのスケジュールされたタイムスロットの間だけ起動し、それの無線機をオンにすることが可能になり得る。
【００５４】
[0070]順方向リンクフレームの物理チャネルの各々は、時分割多重化（ＴＤＭ）され得る、パイロットシンボルとデータシンボルの両方を含み得る。一構成では、モジュール４２０によって生成される順方向リンクフレームは、ページングチャネルと、ＡＣＫチャネルと、トラフィックチャネルとを含み得る。ページングチャネルは、ページングタイムスロットの間に順方向リンク通信３２５上でＭ２Ｍデバイス１１５にページングメッセージおよび他の情報を送信するために使用され得る。ＡＣＫチャネルはＡＣＫメッセージおよび追加の情報を送信し得、トラフィックチャネルは、Ｍ２Ｍデバイス１１５にデータメッセージを送信するために使用され得る。
【００５５】
[0071]ＡＣＫ生成モジュール４２５は、順方向リンク通信３２５上で送信すべきＡＣＫメッセージを生成し得る。メッセージは、順方向リンクフレーム生成モジュール４２０によって生成される順方向リンクフレームの一部であるＡＣＫチャネル上で送信され得る。一構成では、順方向リンクフレームは、Ｍ２Ｍデバイス１１５に圧縮識別情報（ＩＤ）を送信するために使用され得る。圧縮ＩＤは、Ｍ２Ｍデバイス１１５のネットワークＩＤのハッシュであり得る。圧縮ＩＤは、基地局が逆方向リンク上でＭ２Ｍデバイスから送信されたパケットを正常に受信したことを示す、Ｍ２Ｍデバイス１１５のためのＡＣＫメッセージを表し得る。一構成では、ＡＣＫ生成モジュール４２５は、ＡＣＫパケットを作成するために、あるＭ２Ｍデバイスの圧縮ＩＤを他のＭ２Ｍデバイスの圧縮ＩＤとグループ化し得る。ＡＣＫパケットは様々な量の圧縮ＩＤを含み得る。ＡＣＫパケットの送信データレートは、各パケット中の圧縮ＩＤの数に応じて変動し得る。より高い数の圧縮ＩＤをもつＡＣＫパケットは、より低い数の圧縮ＩＤをもつＡＣＫパケットよりも高いデータレートで送信され得る。
【００５６】
[0072]いくつかの事例では、ページングスロットは、いくつかの順方向リンクフレームにわたってアイドルであり得る。たとえば、ページングスロットの間のページングチャネルの容量が全容量でないことがある。たとえば、ページングスロットは、Ｍ２Ｍデバイス１１５のためにページングメッセージ３０５を送信するようにスケジュールされないことがある。その結果、ページングチャネルは空（たとえば、ページングメッセージ３０５なし）であり得る。ページングスロット再利用モジュール４３０は、Ｍ２Ｍデバイス１１５にシステム情報を通信するためにアイドルページングスロットを再利用し得る。システム情報は、システムタイミングおよびセクタ番号情報を含み得、ページングタイムスロットの間のＭ２Ｍデバイス１１５への送信のためにページングチャネル中に挿入され得る。したがって、Ｍ２Ｍデバイス１１５にシステム情報を搬送するための順方向リンクフレーム内の追加のチャネルの確立が回避され得る。代わりに、ページングスロット再利用モジュール４３０は、フレーム中のページングスロットのアイドルページングチャネル中にシステム情報を挿入し得る。
【００５７】
[0073]一実施形態では、ページングサイクル選択モジュール４３５は、Ｍ２Ｍデバイスにページングメッセージを送信するための特定のページングサイクルを選択し得る。モジュール４３５は、Ｍ２ＭワイヤレスＷＡＮ中のＭ２Ｍデバイス１１５のためにページングサイクルを動的に変更するためにフレキシブルなページング方式を提供し得る。ページングサイクル選択モジュール４３５は、デバイス１１５からページング応答３１０が受信されたかどうか、時刻、Ｍ２Ｍデバイス１１５の動作状態などに応じて、ページングサイクルを動的に変更し得る。
【００５８】
[0074]一構成では、ページングチャネル選択モジュール４４０は、順方向リンク通信３２５を使用してＭ２Ｍデバイス１１５にページングメッセージを送信するために１次ページングチャネルと２次ページングチャネルとの間で選択し得る。モジュール４４０は、１次ページングチャネルと２次ページングチャネルとを使用して異なるページングサイクルでページングメッセージがＭ２Ｍ  ＷＡＮ中で送信されることを可能にするページング方式を提供し得る。１次ページングチャネルと第２のページングチャネルとは、フレームのページングチャネルのサブチャネルであり得る。１次ページングチャネルはより長いページングサイクルのために使用され得るが、２次ページングチャネルはより短いページングサイクルのために使用され得る。一例では、基地局１０５が第１のページングメッセージを送信し得、モジュール４４０は、このメッセージが第１のページングサイクルで送信されるべきであるので、それを送信するために１次チャネルを選択し得る。基地局はまた、第２のページングメッセージを送信し得、モジュール４４０は、第２のメッセージが第２のページングサイクルで送信されるできであるので、第２のページングメッセージを送信するために２次ページングチャネルを選択し得る。一実施形態では、第２のページングサイクルは第１のページングサイクルよりも短くなり得る。
【００５９】
[0075]共有トラフィックチャネルフォーマッティングモジュール４４５は、複数のＭ２Ｍデバイスによって共有され得る順方向リンクフレーム中のトラフィックチャネルをフォーマットし得る。Ｍ２Ｍデバイス１１５が所与のトラフィックチャネルサイクル内の共有トラフィックチャネル上でデータを期待しているとき、デバイス１１５は、ＩＤフィールドによって示されるそれのデータを見つけるまで、トラフィックチャネルサイクルの間に複数の順方向リンクフレームにわたってトラフィックチャネルスロットを読み取り続け得る。その結果、Ｍ２Ｍデバイス１１５は、それのデータを見つけるのに必要であるよりも長くアウェイクのままであり得る。フォーマッティングモジュール４４５は、Ｍ２Ｍデバイス１１５の起動時間を最小限に抑えるような方法でトラフィックチャネルをフォーマットし得る。Ｍ２Ｍデバイス１１５は、共有トラフィックチャネル上でそれのデータを得るために特定のフレームのどのスロットを起動すべきかを判断し得る。どのスロットについて起動すべきかを判断するために、Ｍ２Ｍデバイスは、それのＩＤに対してハッシング関数のセットを使用し得る。Ｍ２Ｍデバイスはまた、それがそれのデータを受信すると期待することができるスロットを判断するために、予想されるデータレートにおけるスロットの数と、そのレートにおけるユーザの総数とを使用し得る。トラフィックチャネルは、デバイスがどのスロットを使用すべきかを判断することを可能にするようにモジュール４４５によってフォーマットされ得る。たとえば、モジュール４４５は、ハッシングされたスロットが、データ、または実際のデータが位置するスロットへのポインタのいずれかを含んでいるように、共有トラフィックチャネルをフォーマットし得る。第１のフレームのスロットがすべてのポインタを含み得ない場合、モジュール４４５は、オーバーフローフラグを設定し、ハッシングされたＭ２Ｍデバイスがそれのデータについて検査することができる別のフレームの別のスロットへのポインタを与え得る。Ｍ２Ｍデバイス１１５についてのすべてのデータが単一のスロット中に収容され得ない場合、モジュール４４５は、残りのデータが送信される別のスロットへのポインタを含むようにチャネルのトレーラフィールドをフォーマットし得る。
【００６０】
[0076]図５Ａは、様々な実施形態による、逆方向リンク通信を管理するためのデバイス５００を示すブロック図である。デバイス５００は、図１、図２、図３Ａ、および／または図３Ｂに関して説明したＭ２Ｍデバイス１１５の１つまたは複数の態様の一例であり得る。デバイス５００はまた、プロセッサであり得る。デバイス５００は、受信機モジュール５０５、逆方向リンク通信モジュール５１０、および／または送信機モジュール５１５を含み得る。これらの構成要素の各々は互いに通信中であり得る。
【００６１】
[0077]デバイス５００のこれらの構成要素は、ハードウェアにおいて適用可能な機能の一部または全部を実行するように適応された１つまたは複数の特定用途向け集積回路（ＡＳＩＣ）とともに、個々にまたはまとめて実装され得る。代替的に、それらの機能は、１つまたは複数の他の処理ユニット（またはコア）によって、１つまたは複数の集積回路上で実行され得る。他の実施形態では、当技術分野で知られている任意の様式でプログラムされ得る他のタイプの集積回路（たとえば、ストラクチャードＡＳＩＣ／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００６２】
[0078]受信機モジュール５０５は、パケット、データ、および／またはデバイス５００が受信または送信したものに関するシグナリング情報などの情報を受信し得る。受信された情報は、様々な目的のために逆方向リンク通信モジュール５１０によって利用され得る。
【００６３】
[0079]受信機モジュール５０５は、順方向リンク通信３２５を使用して基地局１０５から送られた順方向リンク物理レイヤパケットを受信するように構成され得る。逆方向リンク通信モジュール５１０は、Ｍ２Ｍデバイス１１５から基地局１０５にデータを送信するためのトラフィックチャネルを含む逆方向リンクフレームを生成し得る。
【００６４】
[0080]一実施形態では、逆方向リンク通信モジュール５１０は、逆方向リンク上の通信を早く終了させ得る。前に説明したように、順方向リンクフレームは、基地局１０５からＭ２Ｍデバイス１１５に高データレートでＡＣＫメッセージを送信するためのＡＣＫチャネルを含み得る。より高い逆方向リンクデータレートに対応するＡＣＫメッセージは、受信機モジュール５０５によってより高いデータレートで受信され得る。ＡＣＫメッセージを受信すると、逆方向リンク通信モジュール５１０は、逆方向リンク通信３３０上で通信を送信するのを中止するように送信機５１５に命令し得る。逆方向リンク通信モジュール５１０に関する詳細については以下で説明する。
【００６５】
[0081]図５Ｂは、逆方向リンク通信モジュール５１０−ａの一実施形態を示すブロック図である。モジュール５１０−ａは、図５Ａの逆方向リンク通信モジュールの一例であり得る。一例では、モジュール５１０−ａは、スリープ状態モジュール５２０と、マルチチャネルモジュール５２５と、狭帯域多元接続モジュール５３０とを含み得る。
【００６６】
[0082]一構成では、スリープ状態モジュール５２０は、Ｍ２Ｍデバイス１１５が、基地局１０５からメッセージを受信するのに十分長く起動し、次いで、電力を節約するためにスリープ状態に戻ることを可能にし得る。基地局は、順方向リンクフレームを使用してＭ２Ｍデバイスにメッセージを送信し得る。フレームは、メッセージを搬送するためにページングチャネルを含み得る。ページングチャネルはいくつかのサブチャネルを含み得る。基地局は、各サブチャネル中でメッセージのコピーを送信し得る。Ｍ２Ｍデバイスがサブチャネルのうちの１つの上でメッセージを正常に受信し、復調したとき、スリープ状態モジュール５２０は、Ｍ２Ｍデバイス１１５にそれの無線機をオフにさせ、バッテリーを節約するために基地局にＡＣＫメッセージを送り返すことなしにスリープ状態に戻らせ得る。
【００６７】
[0083]一実施形態では、マルチチャネルモジュール５２５は、逆方向リンク通信３３０に対する動作ライズオーバサーマル（ＲＯＴ）雑音の悪影響を低減するために符号分割多元接続（ＣＤＭＡ）ベースの多元接続方式を行い得る。一構成では、モジュール５２５は、逆方向リンクの動作帯域を複数の逆方向リンク周波数チャネルに分割し得る。各周波数チャネル内で、モジュール５２５は、複数ユーザ多重化のためにＣＤＭＡを使用し得る。各周波数チャネルはそれ自体のターゲットＲＯＴ動作点を有し得る。マルチチャネルモジュール５２５は、少なくとも１つの周波数チャネルを低データレートランダムアクセスチャネルとして専用化し得る。その結果、動作ＲＯＴが低減され得る。
【００６８】
[0084]一例では、狭帯域多元接続モジュール５３０は、逆方向リンク通信３３０のために狭帯域周波数分割多元接続（ＦＤＭＡ）技法を行い得る。モジュール５３０は、動作帯域をいくつかの狭帯域周波数チャネルに分割し得る。各狭帯域チャネルのビジーまたはアイドルのステータスが各Ｍ２Ｍデバイス１１５にブロードキャストされ得る。デバイスは、プリアンブルを送ることによってチャネルのアイドルセットからランダムに選択されたチャネルを求めて競合し得る。モジュール５３０は、チャネルが暗黙的あるいは明示的にＭ２Ｍデバイスに割り当てられた場合のみ、Ｍ２Ｍデバイス１１５がデータを送信することを可能にし得る。モジュール５３０は、チャネル状態がビジーに変化した場合に送信を中断させることが可能でないことがある。
【００６９】
[0085]図６は、様々な実施形態による、順方向リンク通信を管理するためのデバイス６００を示すブロック図である。デバイス６００は、図１、図２、図３Ａ、図３Ｂ、図４Ａ、および／または図４Ｂに関して説明した基地局の１つまたは複数の態様の一例であり得る。デバイス６００はまた、プロセッサであり得る。デバイス６００は、受信機モジュール４０５−ａ、順方向リンク通信モジュール４１０−ａ、および／または送信機モジュール４１５−ａを含み得る。これらの構成要素の各々は互いに通信中であり得る。
【００７０】
[0086]デバイス６００の構成要素は、ハードウェアにおいて適用可能な機能の一部または全部を実行するように適応された１つまたは複数の特定用途向け集積回路（ＡＳＩＣ）とともに、個々にまたはまとめて実装され得る。代替的に、それらの機能は、１つまたは複数の他の処理ユニット（またはコア）によって、１つまたは複数の集積回路上で実行され得る。他の実施形態では、当技術分野で知られている任意の様式でプログラムされ得る他のタイプの集積回路（たとえば、ストラクチャードＡＳＩＣ／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００７１】
[0087]受信機モジュール４０５−ａは、パケット、データ、および／またはデバイス６００が受信または送信したものに関するシグナリング情報などの情報を受信し得る。受信された情報は、前に説明したように、様々な目的のために順方向リンク通信モジュール４１０−ａによって利用され得る。
【００７２】
[0088]一構成では、順方向リンク通信モジュール４１０−ａはページングスロット再利用モジュール４３０を含み得る。モジュール４３０は、順方向リンクフレーム内のアイドルタイムスロットを識別し、順方向リンク上でＭ２Ｍデバイス１１５にシステム情報を送信するためにこれらのアイドルスロットを再利用し得る。そのような情報を送信するためのスロットの再利用に関する詳細については以下で説明する。
【００７３】
[0089]図７は、ページングスロット再利用モジュール４３０−ａの一実施形態を示すブロック図である。モジュール４３０−ａは、図４Ｂおよび／または図６のページングスロット再利用モジュール４３０の一例であり得る。一構成では、モジュール４３０−ａは、メッセージ識別モジュール７０５と、メッセージタイプ判断モジュール７１０と、システム情報挿入モジュール７１５とを含み得る。
【００７４】
[0090]一例では、メッセージ識別モジュール７０５は、順方向リンクフレームのタイムスロットの間のチャネル内に含まれるメッセージを識別し得る。一実施形態では、モジュール７０５は、フレームのページングタイムスロットの間にページングチャネルによって送信されるべきであるページングメッセージ３０５を識別し得る。
【００７５】
[0091]メッセージタイプ判断モジュール７１０は、送信されるべきメッセージのタイプを判断し得る。一構成では、ページングチャネル内の１つまたは複数のメッセージはヌルメッセージであり得る。ページングチャネルの容量はいくつかのページングメッセージ３０５を収容し得る。たとえば、チャネルは、約５〜６つのメッセージ３０５を送信するための容量を有し得る。場合によっては、チャネルは５〜６つ未満のメッセージを含み得る。チャネルの残りの帯域幅は空であり得る（たとえば、ヌルメッセージを含む）。その結果、５〜６つ未満のメッセージで送信するページングチャネルは残りの容量を浪費する。判断モジュール７１０は、チャネル内のメッセージがページングメッセージ３０５であるのかヌルメッセージ７１５であるのかを判断し得る。ページングチャネルは、いくつかのページングメッセージ３０５を含むか、またはページングメッセージ３０５を含まないことがある。ページングチャネルがチャネルの容量を満たすページングメッセージ３０５を含まない場合、チャネルが送信されるページングタイムスロットはアイドルページングスロットであると見なされる。
【００７６】
[0092]メッセージタイプ判断モジュール７１０によってヌルメッセージが識別されたとき、システム情報挿入モジュール７１５は、ある情報をページングチャネル中に挿入し得る。この情報は、基地局１０５から送信された信号のタイミングをＭ２Ｍデバイス１１５が収集するのを支援するためにタイミング情報を含み得る。ページングメッセージ３０５はいくつかのＭ２Ｍデバイス１１５にアドレス指定され得るが、アイドルページングスロットの間に送信されるシステム情報のフォーマットはＭ２ＭワイヤレスＷＡＮ内のＭ２Ｍデバイス１１５の各々にアドレス指定され得る。
【００７７】
[0093]図８に、順方向リンクフレーム８００の一例を示す。フレームは、ページングタイムスロット８０５と、ＡＣＫタイムスロット８１０と、トラフィックタイムスロットとを含み得る。一構成では、フレーム８００は図５Ｂの順方向リンクフレーム生成モジュール４２０によって生成され得る。フレーム８００は、順方向リンク通信３２５上で送信されるべき物理レイヤフレームとして生成され得る。一実施形態では、複数のフレーム８００が送信され得る。
【００７８】
[0094]各フレームは３つ以下のタイムスロットだけを含み得る。データは、チャネル上で各タイムスロットの間に送信され得る。各タイムスロットはチャネルを含み得る。したがって、各順方向リンクフレーム８００は、ページングチャネル、ＡＣＫチャネル、およびトラフィックチャネルなど、３つ以下の論理ＴＤＭチャネルを含み得る。一構成では、ページングスロット８０５およびＡＣＫスロットは５ミリ秒（ｍｓ）の長さを有し得る。トラフィックスロットは１０ｍｓの長さを有し得る。したがって、ページングチャネルおよびＡＣＫチャネルはそれぞれ５ｍｓ間データを送信し得る。トラフィックチャネル８１５は１０ｍｓ間データを送信し得る。その結果、各順方向リンクフレーム８００の持続時間は２０ｍｓになり得る。
【００７９】
[0095]一実施形態では、順方向リンク通信３２５上でフレーム８００を送信する基地局１０５は、いくつかのフレーム８００を大きい地理的エリア（たとえば、約３５ｋｍの半径）に送信し得る。その結果、基地局１０５は、低データレートを使用して各順方向リンクフレーム８００を送信し得る。たとえば、いくつかの順方向リンクフレーム８００は約９．６ビット／秒の有効データレートで送信され得る。
【００８０】
[0096]ページングチャネルは、ページングスロット８０５の間に１つまたは複数のＭ２Ｍデバイス１１５にページングメッセージ３０５およびシステム情報を搬送するために使用され得る。一例では、ページングチャネルは、各フレーム８００のページングスロット８０５の間に５ｍｓ間メッセージ３０５および／またはシステム情報を送信し得る。ページングチャネルはまた、いくつかのサブチャネルを含み得る。サブチャネルは、複数のページングメッセージ３０５を送信するために使用され得る。各サブチャネルは同じメッセージ３０５のコピーを送信し得、および／またはサブチャネルは異なるメッセージを送信し得る。一構成では、各サブチャネルは、異なるページングサイクルでページングメッセージ３０５を送信し得る。代替的に、サブチャネルは、同じページングサイクルを使用してメッセージ３０５を送信し得る。一実施形態では、基地局１０５は、複数のサブチャネルを使用してページングメッセージ３０５のコピーを送信し得る。メッセージ３０５の各コピーは高データレート（たとえば、８０ｋｂｐｓ）で送信され得る。スリープ状態モジュール５２０は、デバイス１１５がページングメッセージ３０５を受信したことを示すＡＣＫメッセージを基地局１０５に送信する前に、Ｍ２Ｍデバイス１１５をスリープ状態に入らせ得る。その結果、基地局１０５は、Ｍ２Ｍデバイス１１５がメッセージ３０５を正常に受信していても、ページングチャネル８０５のサブチャネルを使用してページングメッセージ３０５のコピーを送信し続け得る。
【００８１】
[0097]一実施形態では、ページングスロット８０５はヌルであり得る（すなわち、いかなるページングメッセージ３０５も含まず、および／またはページングチャネルがページングメッセージ３０５でいっぱいでない）。ページングスロット８０５がヌルまたはアイドルであるとき、ページングスロット再利用モジュール４３０は、ページングスロット８０５の間にＭ２Ｍデバイス１１５にシステム情報を送信するためにページングチャネルを使用し得る。システム情報は、タイミング情報、および／またはＭ２Ｍデバイス１１５にフレーム８００を通信している基地局１０５のセクタに関係する情報を含み得る。
【００８２】
[0098]ＡＣＫチャネルは、ＡＣＫメッセージを送信するために使用され得る。ＡＣＫメッセージは、基地局１０５がＭ２Ｍデバイス１１５からメッセージを正常に受信したことを示し得る。一構成では、ＡＣＫ生成モジュール４２５が、ＡＣＫタイムスロット８１０の間にＡＣＫチャネル上で送信されるべきＡＣＫメッセージを生成し得る。前に説明したように、ＡＣＫチャネルは、ＡＣＫメッセージを表すＭ２Ｍデバイス１１５の圧縮ＩＤを送信し得る。ＡＣＫチャネルは、複数のＭ２Ｍデバイス１１５のための複数の圧縮ＩＤをＡＣＫパケットとして送信し得る。一構成では、ＡＣＫチャネルは、ＡＣＫパケットを異なるデータレートで送信し得る。たとえば、ＡＣＫパケット中に一定数の圧縮ＩＤが含まれているとき、ＡＣＫチャネルはより高いデータレートで送信し得る。ＡＣＫパケット中により少ない数の圧縮ＩＤがある場合、チャネルは、パケットをより低いデータレートで送信し得る。
【００８３】
[0099]一例では、トラフィックチャネルは、Ｍ２Ｍデバイス１１５にデータペイロードを送信し得る。一実施形態では、チャネルは、複数のＭ２Ｍデバイス１１５のためのデータを送信し得る。たとえば、複数の順方向リンクフレーム８００が送信され得る。各フレーム８００の各トラフィックタイムスロット８１５は、異なるＭ２Ｍデバイス１１５のためのペイロードを搬送し得る。共有トラフィックチャネルフォーマッティングモジュール４４５は、どのフレーム８００が、それらのデータペイロードがトラフィックチャネル上で送信されることになるトラフィックタイムスロット８１５を含むのかを各Ｍ２Ｍデバイス１１５が判断し得るように、トラフィックチャネルをフォーマットし得る。たとえば、モジュール４４５は、トラフィックスロットが、データ、または実際のデータが送信されることになる別のタイムスロットへのポインタのいずれかを含んでいるように、共有トラフィックチャネルをフォーマットし得る。スロットがすべてのポインタを含み得ない場合、モジュール４４５は、オーバーフローフラグを設定し、Ｍ２Ｍデバイスがそれのデータについて検査し得る別のスロットへのポインタを与え得る。Ｍ２Ｍデバイス１１５についてのすべてのデータが単一のタイムスロットの間に送信され得ない場合、モジュール４４５は、残りのデータが送信され得る別のスロットへのポインタを含むようにチャネルのトレーラフィールドをフォーマットし得る。
【００８４】
[0100]一構成では、フレーム８００の各チャネルはいくつかのＴＤＭパイロット信号を送信し得る。各信号は、パイロットシンボルとデータシンボルとの組合せを含み得る。各信号のシンボルは、ＴＤＭ技法を使用して互いに多重化され得る。一実施形態では、（図１に示された第１のセル１１０−ａなどの）第１のセル中の基地局１０５から送信されるデータシンボルとパイロットシンボルとの組合せは、（図１に示された第２のセル１１０−ｂなどの）隣接セル中の基地局から送信されるデータ／パイロットシンボルの組合せを分離するために、擬似雑音（ＰＮ：pseudo-noise）シーケンスでスクランブルされ得る。Ｍ２Ｍデバイス１１５によって実行される初期セル探索を簡略化するために、ならびにデバイス１１５の初期捕捉時間を低減するために、異なるセル（たとえば、図１の１１０−ａ、１１０−ｂ、１１０−ｃ）は、それらのスクランブリングコードとして同じＰＮシーケンスの異なる時間オフセットを使用し得る。ＰＮシーケンスは、２０ｍｓの長さをそれぞれ有する４つの順方向リンクフレーム８００（８０ｍｓの総持続時間）をカバーするために、２14の長さを有し得る。
【００８５】
[0101]一実施形態では、フレーム８００のチップレートは約２０４．８キロチップ毎秒（ｋｃｐｓ：kilo chips per second）であり得る。チップレートは、ＰＮシーケンスが送信されるパルス毎秒（チップ毎秒）の数を表し得る。一例では、各ＴＤＭパイロット信号は５６チップの長さを有し得る。各パイロット信号間に間隔が存在し得る。間隔は２５６チップであり得る。一構成では、異なる基地局からの信号は、同じＰＮシーケンスによってカバーされ得るが、初期オフセットが異なる。初期オフセットはＰＮオフセットと呼ばれることがある。フレームのパイロット信号間に２５６チップの間隔を使用すると、６４個の異なるＴＤＭパイロット信号が生じ得る。たとえば、４つの順方向リンクフレーム８００の各々は１６個のＴＤＭパイロット信号を含み得る。ＴＤＭパイロットグループは４つのＴＤＭパイロット信号を含み得る。各ＴＤＭパイロットグループは１０２４チップの長さを有し得る。一構成では、ＴＤＭパイロット信号は、基地局によって送信された順方向リンクフレーム８００のタイミングを収集するためにＭ２Ｍデバイス１１５によって使用され得る。
【００８６】
[0102]図９は、ページングスロット８０５−ａの一例を示すブロック図である。スロット８０５−ａは、図８のページングスロット８０５の一例であり得る。ページングスロット８０５−ａは、１つまたは複数のページングメッセージ３０５−ａおよび／または１つまたは複数のヌルメッセージ９０５−ａを含み得る。ページングメッセージ３０５−ａは、図３Ａのページングメッセージ３０５の例であり得る。ページングスロット８０５−ａは２つのページングメッセージ３０５−ａと３つのヌルメッセージ９０５−ａとを伴って示されているが、スロット８０５−ａは、より多いまたはより少ないページングメッセージ３０５−ａと、より多いまたはより少ないヌルメッセージ９０５−ａとを含み得ることを理解されたい。たとえば、ページングスロット８０５−ａは、０から約５つまたは６つのページングメッセージ３０５−ａおよび／またはヌルメッセージ９０５−ａを含み得る。
【００８７】
[0103]一実施形態では、各ページングメッセージ３０５−ａは特定のＭ２Ｍデバイス１１５に宛てられ得る。たとえば、第１のページングメッセージ３０５−ａ−１は第１のデバイス１１５−ａ−１にアドレス指定され得る。しかしながら、第２のページングメッセージ３０５−ａ−２は第２のＭ２Ｍデバイス１１５−ａ−２に宛てられ得る。ヌルメッセージ９０５−ａは、順方向リンクフレーム８００を送信している基地局１０５の範囲内の各Ｍ２Ｍデバイス１１５に宛てられ得る。
【００８８】
[0104]図１０は、ヌルメッセージ９０５−ｂの一例を示すブロック図である。メッセージ９０５−ｂは、図９に示されたヌルメッセージ９０５−ａの一例であり得る。一構成では、ヌルメッセージ９０５−ｂは、メッセージタイプ１００５と、システム情報ペイロード１０１０とを含み得る。メッセージタイプ１００５は、メッセージがヌルメッセージ９０５−ｂであることを示すために使用されるあるビット数であり得る。たとえば、メッセージをページングメッセージ３０５またはヌルメッセージ９０５−ｂとして識別するために、ページングチャネルによって送信される各メッセージ中で２ビットが使用され得る。
【００８９】
[0105]システム情報ペイロード１０１０はヌルメッセージ９０５−ｂに挿入され得る。ペイロード１０１０は、セル識別子（ＩＤ）  １０１５と、セクタＩＤ１０２０と、タイミング情報１０２５とを含み得る。セルＩＤ１０１５は、基地局１０５がその中で送信している特定のセルを識別し得る。セクタＩＤ１０２０は、セル内の特定のセクタを表し得る。タイミング情報１０２５は、Ｍ２Ｍデバイス１１５がそれらのクロックを基地局１０５のクロックと同期させることを可能にし得る。タイミング情報１０２５はまた、基地局１０５によって送信されている現在フレーム番号を与え得る。
【００９０】
[0106]システム情報ペイロード１０１０は、１０ビットまたは１４ビットを使用して表され得る。メッセージがページングメッセージ３０５であるとき、これらの１０ビットまたは１４ビットはページングＩＤを表すために使用され得る。Ｍ２Ｍデバイス１１５は、デバイス１１５の電源投入中に行われる基地局１０５からのシグナリングの初期収集の間にシステム情報ペイロード１０１０を使用し得る。その結果、本システムおよび方法では、システム情報ペイロード１０１０を送信するための別個の同期チャネルが必要とされない。したがって、順方向リンクフレーム８００を送信するために使用される物理レイヤチャネルの数が最小限に抑えられ得る。
【００９１】
[0107]図１１に、様々な実施形態による、Ｍ２Ｍデバイス１１５にシステム情報を送信するためにアイドルページングスロットを再利用するために構成され得る通信システム１１００のブロック図を示す。このシステム１１００は、図１に示されたシステム１００、図２のシステム２００、図３Ａのシステム３００、および／または図３Ｂのシステム３２０の態様の一例であり得る。
【００９２】
[0108]システム１１００は基地局１０５−ｄを含み得る。基地局１０５−ｄは、アンテナ１１４５と、トランシーバモジュール１１５０と、メモリ１１７０と、プロセッサモジュール１１６５とを含み得、その各々は、（たとえば、１つまたは複数のバスを介して）互いに直接または間接的に通信中であり得る。トランシーバモジュール１１５０は、追跡、感知、監視などが可能なセンサー、メーター、または任意の他のタイプのデバイスであり得るＭ２Ｍデバイス１１５と、アンテナ１１４５を介して、双方向に通信するように構成され得る。トランシーバモジュール１１５０（および／または基地局１０５−ｄの他の構成要素）はまた、１つまたは複数のネットワークと双方向に通信するように構成され得る。場合によっては、基地局１０５−ｄは、ネットワーク通信モジュール１１７５を通してコアネットワーク１３０−ａおよび／またはコントローラ１２０−ａと通信し得る。コントローラ１２０−ａは、場合によっては基地局１０５−ｄに組み込まれ得る。
【００９３】
[0109]基地局１０５−ｄはまた、基地局１０５−ｍおよび基地局１０５−ｎなど、他の基地局１０５と通信し得る。基地局１０５の各々は、異なる無線アクセス技術など、異なるワイヤレス通信技術を使用してＭ２Ｍデバイス１１５と通信し得る。場合によっては、基地局１０５−ｄは、基地局通信モジュール１１１５を利用して１０５−ｍおよび／または１０５−ｎなどの他の基地局と通信し得る。いくつかの実施形態では、基地局１０５−ｄは、コントローラ１２０−ａおよび／またはコアネットワーク１３０−ａを通して他の基地局と通信し得る。
【００９４】
[0110]メモリ１１７０は、ランダムアクセスメモリ（ＲＡＭ）および読取り専用メモリ（ＲＯＭ）を含み得る。メモリ１１７０はまた、実行されたとき、本明細書で説明する様々な機能（たとえば、フレーム生成、ページング方式、ＡＣＫ方式、データトラフィック方式など）をプロセッサモジュール１１６５に実行させるように構成された命令を含んでいるコンピュータ可読、コンピュータ実行可能ソフトウェアコード１１７１を記憶し得る。代替的に、ソフトウェア１１７１は、プロセッサモジュール１１６５によって直接的に実行可能でないことがあるが、たとえば、コンパイルされ実行されたとき、本明細書で説明する機能をコンピュータに実行させるように構成され得る。
【００９５】
[0111]プロセッサモジュール１１６５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。トランシーバモジュール１１５０は、Ｍ２Ｍデバイス１１５のためのパケットを変調し、変調されたパケットを送信のためにアンテナ１１４５に与え、アンテナ１１４５から受信されたパケットを復調するように構成されたモデムを含み得る。基地局１０５−ｄのいくつかの例は単一のアンテナ１１４５を含み得るが、基地局１０５−ｄは、好ましくは、キャリアアグリゲーションをサポートし得る複数のリンクのための複数のアンテナ１１４５を含む。たとえば、Ｍ２Ｍデバイス１１５とのマクロ通信をサポートするために１つまたは複数のリンクが使用され得る。
【００９６】
[0112]図１１のアーキテクチャによれば、基地局１０５−ｄは通信管理モジュール１１３０をさらに含み得る。通信管理モジュール１１３０は、他の基地局１０５との通信を管理し得る。例として、通信管理モジュール１１３０は、バスを介して基地局１０５−ｄの他の構成要素の一部または全部と通信している基地局１０５−ｄの構成要素であり得る。代替的に、通信管理モジュール１１３０の機能は、トランシーバモジュール１１５０の構成要素として、コンピュータプログラム製品として、および／またはプロセッサモジュール１１６５の１つまたは複数のコントローラ要素として実装され得る。
【００９７】
[0113]基地局１０５−ｄのための構成要素は、図６のデバイス６００に関して上記で説明した態様を実装するように構成され得、簡潔のためにここで繰り返さないことがある。たとえば、ページングスロット再利用モジュール４３０−ｂは、図４Ｂおよび／または７のモジュール４３０の一例であり得る。モジュール４３０−ｂは、図４Ｂ、図６、図７、図８、図９、および／または図１０に関して前に説明したように、メッセージ識別モジュール７０５と、メッセージタイプ判断モジュール７１０と、システム情報挿入モジュール７１５とを含み得る。
【００９８】
[0114]いくつかの実施形態では、アンテナ１１４５に結合されたトランシーバモジュール１１５０は、基地局１０５−ｄの他の可能な構成要素とともに、ページングスロット８０５とＡＣＫスロット８１０とトラフィックスロット８１５とを含むいくつかの順方向リンクフレーム８００を、基地局１０５−ｄからＭ２Ｍデバイス１１５に、他の基地局１０５−ｍ／１０５−ｎ、またはコアネットワーク１３０−ａに送信し得る。
【００９９】
[0115]図１２は、順方向リンク通信を管理するための方法１２００の一例を示すフローチャートである。明快のために、方法１２００について、図１、図２、図３Ａ、図３Ｂ、図４Ａ、図６、または図１１に示された基地局１０５に関して以下で説明する。一実装形態では、ページングスロット再利用モジュール４３０は、以下で説明する機能を実行するように基地局１０５の機能要素を制御するためのコードの１つまたは複数のセットを実行し得る。
【０１００】
[0116]ブロック１２０５において、順方向リンクフレームにおいてＭ２Ｍデバイスのためのページングスロットを生成する。フレームは、順方向リンク上のワイヤレスＭ２Ｍ通信のためのものであり得る。通信はＭ２ＭワイヤレスＷＡＮにおいて行われ得る。一構成では、単一の生成されたフレームは３つ以下のスロットを含み得る。一実施形態では、フレームは、ページングチャネルを備える第１のスロットと、ＡＣＫチャネルを備える第２のスロットと、トラフィックチャネルを備える第３のスロットとを含み得る。ページングチャネルは、基地局１０５からＭ２Ｍデバイス１１５にページングメッセージ３０５および／またはシステム情報を送信するために使用され得る。
【０１０１】
[0117]ブロック１２１０において、ページングスロットが利用可能容量を含むという判断を行う。たとえば、ページングスロットのフィールド中の識別子が分析され得る。識別子は、ページングスロット中のメッセージ中に含まれ得る。メッセージは、ページングスロットの間にページングチャネルを使用してＭ２Ｍデバイス１１５に送信され得る。メッセージのメッセージタイプが判断され得る。メッセージタイプは、メッセージ中の２ビットによって示され得る。一例では、メッセージタイプは、メッセージがページングメッセージ３０５またはヌルメッセージ９０５であることを示し得る。ヌルメッセージ９０５は、ページングスロットが利用可能容量を有することを示し得る。ブロック１２１５において、ページングスロット中にシステム情報を挿入する。一構成では、システム情報は、タイミング情報、セルＩＤ、セクタ、ＩＤ、フレーム番号付け、およびＭ２Ｍデバイス１１５が基地局１０５のタイミング、シグナリングなどを収集するのを支援する他の情報を含み得る。システム情報は、ページングスロットの間にページングチャネルを介してＭ２Ｍデバイス１１５に送信され得る。
【０１０２】
[0118]したがって、方法１２００は、ページングスロットがアイドルである（すなわち、１つまたは複数のヌルメッセージを含む）とき、システム情報を送信するためにページングスロットを再利用することによって順方向リンク上で効率的な通信を行い得る。方法１２００は一実装形態にすぎないこと、および方法１２００の動作は、他の実装形態が可能であるように、並べ替えられるかまたは場合によっては変更され得ることに留意されたい。
【０１０３】
[0119]図１３は、順方向リンク通信を管理するための方法１３００の一例を示すフローチャートである。明快のために、方法１３００について、図１、図２、図３Ａ、図３Ｂ、図４Ａ、図６、または図１１に示された基地局１０５に関して以下で説明する。一実装形態では、ページングスロット再利用モジュール４３０は、以下で説明する機能を実行するように基地局１０５の機能要素を制御するためのコードの１つまたは複数のセットを実行し得る。
【０１０４】
[0120]ブロック１３０５において、順方向リンク上のワイヤレスＭ２Ｍ通信のための物理レイヤフレームを生成する。フレームは、Ｍ２ＭワイヤレスＷＡＮにおいて通信するために使用され得る。一構成では、フレームは、３つの論理チャネルのために３つ以下のタイムスロットを含み得る。３つのチャネルは、ページングチャネルを備える第１のチャネルと、ＡＣＫチャネルを備える第２のチャネルと、トラフィックチャネルを備える第３のチャネルとを含み得る。ＴＤＭパイロットバーストを取得するために、１つまたは複数のパイロットシンボルと１つまたは複数のデータシンボルとに対して時分割多重化（ＴＤＭ）動作が実行され得る。一例では、１つまたは複数のＴＤＭパイロットバーストは順方向リンクフレームの各チャネル中に含まれ得る。フレーム中の連続するパイロットバーストは、一定数のチップだけ離間させられ得る。ＴＤＭパイロットバーストは、ＴＤＭパイロットバーストが一定数のフレームごとに繰り返され得るように、周期的であり得る。たとえば、ＴＤＭパイロットバーストは、４つの順方向リンクフレームごとに繰り返され得る。フレームのＴＤＭパイロットバーストおよびデータシンボルは、ＰＮシーケンスを使用してスクランブルされ得る。別の基地局からフレーム中で送信されるＴＤＭパイロットバーストおよびデータシンボルも、ＰＮシーケンスのオフセットを用いてスクランブルされ得る。その結果、異なる基地局からフレーム中で送信されるパイロットバーストは互いにオフセットされて、Ｍ２Ｍデバイス１１５は、それのサービング基地局１０５からタイミング情報および他の信号をより容易に収集することが可能になり得る。
【０１０５】
[0121]ブロック１３１０において、物理レイヤフレーム中にページングスロットを生成する。ページングチャネルは、ページングスロットの間に送信し得る。ページングスロットは５ｍｓの長さを有し得る。ブロック１３１５において、ページングスロット中の１つまたは複数のメッセージを識別する。識別されたメッセージは特定のＭ２Ｍデバイス１１５に宛てられ得るか、または、メッセージはワイヤレスＷＡＮ中の各Ｍ２Ｍデバイス１１５にブロードキャストされ得る。
【０１０６】
[0122]ブロック１３２０において、１つまたは複数のメッセージのメッセージタイプを判断する。メッセージタイプは、各メッセージ中に含まれるいくつかのビットを分析することによって判断され得る。メッセージタイプは、１つまたは複数のメッセージがページングメッセージ３０５および／またはヌルメッセージ９０５であることを示し得る。ページングメッセージ３０５は特定のＭ２Ｍデバイス１１５に宛てられ得るが、ヌルメッセージ９０５は、順方向リンク上でフレームを送信している基地局１０５の範囲内の各Ｍ２Ｍデバイス１１５にブロードキャストされ得る。
【０１０７】
[0123]ブロック１３２５において、判断されたメッセージタイプに基づいて１つまたは複数のメッセージ中にシステム情報を挿入する。たとえば、メッセージタイプはメッセージがヌルメッセージ９０５であることを示す場合、ページングチャネルを介して各Ｍ２Ｍデバイス１１５にブロードキャストされるべきページングスロット中にシステム情報が挿入され得る。システム情報は、フレームを送信している基地局１０５のシグナリングおよび他のタイミング態様を収集するためにＭ２Ｍデバイスが使用し得る、タイミングおよび他の同期情報を含み得る。
【０１０８】
[0124]したがって、方法１３００は、システム情報を送信するために（同期チャネルなどの）追加のチャネルをもつフレームを生成する代わりに、順方向リンクフレーム上でそのような情報を送信するためにアイドルページングスロットを再利用することによって、順方向リンク上で効率的な通信を行い得る。方法１３００は一実装形態にすぎないこと、および方法１３００の動作は、他の実装形態が可能であるように、並べ替えられるかまたは場合によっては変更され得ることに留意されたい。
【０１０９】
[0125]図１４は、順方向リンク通信を管理するための方法１４００の一例を示すフローチャートである。明快のために、方法１４００について、図１、図２、図３Ａ、図３Ｂ、図４Ａ、図６、または図１１に示された基地局１０５に関して以下で説明する。一実装形態では、ページングスロット再利用モジュール４３０は、以下で説明する機能を実行するように基地局１０５の機能要素を制御するためのコードの１つまたは複数のセットを実行し得る。
【０１１０】
[0126]ブロック１４０５において、ワイヤレスＭ２Ｍ通信における順方向リンク上の通信のための物理レイヤフレームを生成する。通信はＭ２Ｍワイヤレスワイドエリアネットワーク（ＷＡＮ）において行われ得る。一構成では、順方向リンク上のフレームが３つ以下のスロットを含み得、論理チャネルが各スロットの間にデータを送信し得る。一実施形態では、フレームは、ページングチャネルを備える第１のチャネルと、ＡＣＫチャネルを備える第２のチャネルと、フレームのスロットの各々の間にデータを送信するためのトラフィックチャネルを備える第３のチャネルとを含み得る。
【０１１１】
[0127]いくつかのＴＤＭパイロットバーストを取得するために、パイロットシンボルとデータシンボルとに対してＴＤＭ動作が実行され得る。バーストは、フレームの３つのチャネルの各々中に挿入され得る。各バーストはある長さを有し得る。たとえば、各ＴＤＭパイロットバーストは長さが５６チップであり得る。一構成では、ＴＤＭパイロットバーストとデータシンボルとは、ＰＮシーケンスを使用してカバーされ得る。
【０１１２】
[0128]ブロック１４１０において、物理レイヤフレーム中にページングスロットを生成する。ページングチャネルは、ページングスロットの間にメッセージおよび他の情報を送信し得る。ブロック１４１５において、ページングスロットのフィールド中の識別子を識別する。識別子は、ページングスロットが利用可能容量を含むかどうかを示すあるビット数であり得る。たとえば、ページングスロット中の１つまたは複数のメッセージが識別子を含み得る。識別子は、各メッセージがページングメッセージ３０５であるのかヌルメッセージ９０５であるのかを示し得る。一構成では、ページングチャネルは、単一のページングスロットの間に５つまたは６つのページングメッセージ３０５を送信するための容量を有し得る。ページングチャネルが５つまたは６つよりも少ないページングメッセージ３０５を含む場合、チャネルの残りの容量がヌルメッセージ９０５として識別され得る。一実施形態では、ページングチャネルは、ページングメッセージ３０５のみを含み得るか、ヌルメッセージ９０５のみ（送信すべきページングメッセージなし）を含み得るか、または両方の混合（いくつかのページングメッセージ３０５と、チャネル中に残された容量）を含み得る。
【０１１３】
[0129]ブロック１４２０において、ページングスロットが利用可能容量を有する（たとえば、ページングスロット中にヌルメッセージが存在する）かどうかに関する判断を行う。ヌルメッセージが存在する（すなわち、ページングチャネルがいっぱいでない）と判断された場合、ブロック１４２５において、ページングスロット中にシステム情報を挿入する。システム情報は、基地局１０５と通信している（またはそれの範囲内にある）各Ｍ２Ｍデバイス１１５に宛てられ得る。しかしながら、ページングスロットが利用可能容量を含まないと判断された場合（またはシステム情報が挿入された後に）、ブロック１４３０において、ページングスロットの間にメッセージおよび／またはシステム情報の送信を行う。順方向リンクフレームのページングスロットの間の送信は、Ｍ２ＭワイヤレスＷＡＮ中の順方向リンク通信３２５を使用し得る。Ｍ２Ｍデバイスは、システム情報を使用して、フレームを送信している基地局１０５に関するタイミングおよび他の関連システム情報を収集し得る。
【０１１４】
[0130]したがって、方法１４００は、Ｍ２Ｍデバイス１１５にシステム情報を送信するために、ページングスロットがヌルメッセージ（すなわち、利用可能容量）を含むかどうかを識別することによって、順方向リンク上で効率的な通信を行い得る。方法１４００は一実装形態にすぎないこと、および方法１４００の動作は、他の実装形態が可能であるように、並べ替えられるかまたは場合によっては変更され得ることに留意されたい。
【０１１５】
[0131]添付の図面に関して上記に記載した詳細な説明は、例示的な実施形態について説明しており、実装され得るかまたは特許請求の範囲内に入る唯一の実施形態を表すものではない。この明細書全体にわたって使用する「例示的」という用語は、「例、事例、または例示の働きをすること」を意味し、「好ましい」または「他の実施形態よりも有利な」を意味しない。詳細な説明は、説明した技法の理解を与えるための具体的な詳細を含む。ただし、これらの技法は、これらの具体的な詳細なしに実施され得る。場合によっては、説明した実施形態の概念を不明瞭にしないように、よく知られている構造およびデバイスがブロック図の形式で示されている。
【０１１６】
[0132]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１１７】
[0133]本明細書の開示に関連して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１１８】
[0134]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１１９】
[0135]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１２０】
[0136]本開示についての以上の説明は、当業者が本開示を作成または使用することができるように与えたものである。本開示への様々な修正は当業者には容易に明らかとなり、本明細書で定義した一般原理は、本開示の範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］
マシンツーマシン（Ｍ２Ｍ）ワイヤレスワイドエリアネットワーク（ＷＡＮ）におけるワイヤレス通信のための方法であって、
前記Ｍ２ＭワイヤレスＷＡＮにおいてＭ２Ｍデバイスのためのページングスロットを生成することと、
前記ページングスロットが利用可能容量を含むと判断することと、
前記ページングスロット中にシステム情報を挿入することと
を備える、方法。
［Ｃ２］
前記ページングスロットの間に前記Ｍ２Ｍデバイスに前記システム情報を送信することをさらに備える、Ｃ１に記載の方法。
［Ｃ３］
前記システム情報が、セル識別子（ＩＤ）、セクタＩＤ、タイミング情報、または前記Ｍ２ＭワイヤレスＷＡＮにおいて順方向リンク上で送信される物理レイヤフレームの現在の数を備える、Ｃ１に記載の方法。
［Ｃ４］
前記ページングスロットが利用可能容量を含むと前記判断することは、
前記ページングスロットが利用可能容量を含むかどうかを判断するために前記ページングスロットのフィールド中の識別子を分析することを備える、Ｃ１に記載の方法。
［Ｃ５］
前記識別子を分析することは、
前記ページングスロット中のメッセージのメッセージタイプを示すための１つまたは複数のビットを備える前記ページングスロット中のフィールドを識別することと、
前記１つまたは複数のビットによって識別される前記メッセージタイプに基づいて前記ページングスロットが利用可能容量を含むと判断することと
をさらに備える、Ｃ４に記載の方法。
［Ｃ６］
前記ページングスロットが利用可能容量を含むと前記判断することは、
前記ページングスロット中のメッセージを識別することと、
前記メッセージのメッセージタイプを判断することと、
前記メッセージタイプがヌルであると判断すると、前記ページングスロットを利用可能容量を含むものとして識別することと
をさらに備える、Ｃ１に記載の方法。
［Ｃ７］
前記Ｍ２ＭワイヤレスＷＡＮにおいて順方向リンク上のワイヤレスＭ２Ｍ通信のための物理レイヤフレームを生成することをさらに備え、前記フレームが、ページングチャネルを備える第１のチャネルと、肯定応答（ＡＣＫ）チャネルを備える第２のチャネルと、トラフィックチャネルを備える第３のチャネルとを含む３つ以下のチャネルを備え、前記ページングチャネルが前記ページングスロットの間にデータを送信する、Ｃ１に記載の方法。
［Ｃ８］
前記ページングチャネルを備える前記第１のチャネルの長さと前記ＡＣＫチャネルを備える前記第２のチャネルの長さとが５ミリ秒（ｍｓ）であり、前記トラフィックチャネルを備える前記第２のチャネルの長さが１０ｍｓである、Ｃ７に記載の方法。
［Ｃ９］
前記Ｍ２Ｍデバイスに割り当てられた物理レイヤフレームのタイムスロットを識別することと、
前記識別されたタイムスロットの間に前記Ｍ２Ｍデバイスにデータを送信することと
をさらに備える、Ｃ１に記載の方法。
［Ｃ１０］
前記ページングスロットが、ヌルメッセージタイプを備える少なくとも１つのメッセージを備える、Ｃ１に記載の方法。
［Ｃ１１］
前記ヌルメッセージタイプを備える前記少なくとも１つのメッセージが前記ワイヤレスＷＡＮ中の各Ｍ２Ｍデバイスに宛てられる、Ｃ１０に記載の方法。
［Ｃ１２］
マシンツーマシン（Ｍ２Ｍ）ワイヤレスワイドエリアネットワーク（ＷＡＮ）におけるワイヤレス通信のために構成された基地局であって、
プロセッサと、
前記プロセッサと電子通信しているメモリと、
前記メモリに記憶された命令とを備え、前記命令は、
前記Ｍ２ＭワイヤレスＷＡＮにおいてＭ２Ｍデバイスのためのページングスロットを生成することと、
前記ページングスロットが利用可能容量を含むと判断することと、
前記ページングスロット中にシステム情報を挿入することと
を行うように前記プロセッサによって実行可能である、基地局。
［Ｃ１３］
前記命令が、
前記ページングスロットの間に前記Ｍ２Ｍデバイスに前記システム情報を送信するように前記プロセッサによってさらに実行可能である、Ｃ１２に記載の基地局。
［Ｃ１４］
前記システム情報が、セル識別子（ＩＤ）、セクタＩＤ、タイミング情報、または前記Ｍ２ＭワイヤレスＷＡＮにおいて順方向リンク上で送信される物理レイヤフレームの現在の数を備える、Ｃ１２に記載の基地局。
［Ｃ１５］
前記ページングスロットが利用可能容量を含むと判断するための前記命令は、
前記ページングスロットが利用可能容量を含むかどうかを判断するために前記ページングスロットのフィールド中の識別子を分析するように前記プロセッサによってさらに実行可能である、Ｃ１２に記載の基地局。
［Ｃ１６］
前記識別子を分析するための前記命令は、
前記ページングスロット中のメッセージのメッセージタイプを示すための１つまたは複数のビットを備える前記ページングスロット中のフィールドを識別することと、
前記１つまたは複数のビットによって識別される前記メッセージタイプに基づいて前記ページングスロットが利用可能容量を含むと判断することと
を行うように前記プロセッサによってさらに実行可能である、Ｃ１５に記載の基地局。
［Ｃ１７］
前記ページングスロットが利用可能容量を含むと判断するための前記命令は、
前記ページングスロット中のメッセージを識別することと、
前記メッセージのメッセージタイプを判断することと、
前記メッセージタイプがヌルであると判断すると、前記ページングスロットを利用可能容量を含むものとして識別することと
を行うように前記プロセスによってさらに実行可能である、Ｃ１２に記載の基地局。
［Ｃ１８］
前記命令が、
前記Ｍ２ＭワイヤレスＷＡＮにおいて順方向リンク上のワイヤレスＭ２Ｍ通信のための物理レイヤフレームを生成するように前記プロセッサによってさらに実行可能であり、前記フレームが、ページングチャネルを備える第１のチャネルと、肯定応答（ＡＣＫ）チャネルを備える第２のチャネルと、トラフィックチャネルを備える第３のチャネルとを含む３つ以下のチャネルを備え、前記ページングチャネルが前記ページングスロットの間にデータを送信する、Ｃ１２に記載の基地局。
［Ｃ１９］
前記ページングチャネルを備える前記第１のチャネルの長さと前記ＡＣＫチャネルを備える前記第２のチャネルの長さとが５ミリ秒（ｍｓ）であり、前記トラフィックチャネルを備える前記第２のチャネルの長さが１０ｍｓである、Ｃ１８に記載の基地局。
［Ｃ２０］
前記命令が、
前記Ｍ２Ｍデバイスに割り当てられた物理レイヤフレームのタイムスロットを識別することと、
前記識別されたタイムスロットの間に前記Ｍ２Ｍデバイスにデータを送信することと
を行うように前記プロセッサによってさらに実行可能である、Ｃ１２に記載の基地局。
［Ｃ２１］
前記ページングスロットが、ヌルメッセージタイプを備える少なくとも１つのメッセージを備える、Ｃ１２に記載の基地局。
［Ｃ２２］
前記ヌルメッセージタイプを備える前記少なくとも１つのメッセージが前記ワイヤレスＷＡＮ中の各Ｍ２Ｍデバイスに宛てられる、Ｃ２１に記載の基地局。
［Ｃ２３］
マシンツーマシン（Ｍ２Ｍ）ワイヤレスワイドエリアネットワーク（ＷＡＮ）におけるワイヤレス通信のために構成された装置であって、
前記Ｍ２ＭワイヤレスＷＡＮにおいてＭ２Ｍデバイスのためのページングスロットを生成するための手段と、
前記ページングスロットが利用可能容量を含むと判断するための手段と、
前記ページングスロット中にシステム情報を挿入するための手段とを備える、装置。
［Ｃ２４］
前記ページングスロットの間に前記Ｍ２Ｍデバイスに前記システム情報を送信するための手段をさらに備える、Ｃ２３に記載の装置。
［Ｃ２５］
前記システム情報が、セル識別子（ＩＤ）、セクタＩＤ、タイミング情報、または前記Ｍ２ＭワイヤレスＷＡＮにおいて順方向リンク上で送信される物理レイヤフレームの現在の数を備える、Ｃ２３に記載の装置。
［Ｃ２６］
前記ページングスロットが利用可能容量を含むと判断するための前記手段は、
前記ページングスロットが利用可能容量を含むかどうかを判断するために前記ページングスロットのフィールド中の識別子を分析するための手段をさらに備える、Ｃ２３に記載の装置。
［Ｃ２７］
前記識別子を分析するための前記手段は、
前記ページングスロット中のメッセージのメッセージタイプを示すための１つまたは複数のビットを備える前記ページングスロット中のフィールドを識別するための手段と、
前記１つまたは複数のビットによって識別される前記メッセージタイプに基づいて前記ページングスロットが利用可能容量を含むと判断するための手段とをさらに備える、Ｃ２６に記載の装置。
［Ｃ２８］
前記ページングスロットが利用可能容量を含むと判断するための前記手段は、
前記ページングスロット中のメッセージを識別するための手段と、
前記メッセージのメッセージタイプを判断するための手段と、
前記メッセージタイプがヌルであると判断すると、前記ページングスロットを利用可能容量を含むものとして識別するための手段とをさらに備える、Ｃ２３に記載の装置。
［Ｃ２９］
前記Ｍ２ＭワイヤレスＷＡＮにおいて順方向リンク上のワイヤレスＭ２Ｍ通信のための物理レイヤフレームを生成するための手段をさらに備え、前記フレームが、ページングチャネルを備える第１のチャネルと、肯定応答（ＡＣＫ）チャネルを備える第２のチャネルと、トラフィックチャネルを備える第３のチャネルとを含む３つ以下のチャネルを備え、前記ページングチャネルが前記ページングスロットの間にデータを送信する、Ｃ２３に記載の装置。
［Ｃ３０］
前記ページングチャネルを備える前記第１のチャネルの長さと前記ＡＣＫチャネルを備える前記第２のチャネルの長さとが５ミリ秒（ｍｓ）であり、前記トラフィックチャネルを備える前記第２のチャネルの長さが１０ｍｓである、Ｃ２９に記載の装置。
［Ｃ３１］
前記Ｍ２Ｍデバイスに割り当てられた物理レイヤフレームのタイムスロットを識別するための手段と、
前記識別されたタイムスロットの間に前記Ｍ２Ｍデバイスにデータを送信するための手段とをさらに備える、Ｃ２３に記載の装置。
［Ｃ３２］
前記ページングスロットが、ヌルメッセージタイプを備える少なくとも１つのメッセージを備える、Ｃ２３に記載の装置。
［Ｃ３３］
前記ヌルメッセージタイプを備える前記少なくとも１つのメッセージが前記ワイヤレスＷＡＮ中の各Ｍ２Ｍデバイスに宛てられる、Ｃ３２に記載の装置。
［Ｃ３４］
マシンツーマシン（Ｍ２Ｍ）ワイヤレスワイドエリアネットワーク（ＷＡＮ）においてワイヤレス通信を管理するためのコンピュータプログラム製品であって、前記コンピュータプログラム製品は、
前記Ｍ２ＭワイヤレスＷＡＮにおいてＭ２Ｍデバイスのためのページングスロットを生成することと、
前記ページングスロットが利用可能容量を含むと判断することと、
前記ページングスロット中にシステム情報を挿入することと
を行うようにプロセッサによって実行可能な命令を記憶した非一時的コンピュータ可読媒体を備える、コンピュータプログラム製品。
［Ｃ３５］
前記命令が、
前記ページングスロットの間に前記Ｍ２Ｍデバイスに前記システム情報を送信するように前記プロセッサによってさらに実行可能である、Ｃ３４に記載のコンピュータプログラム製品。
［Ｃ３６］
前記システム情報が、セル識別子（ＩＤ）、セクタＩＤ、タイミング情報、または前記Ｍ２ＭワイヤレスＷＡＮにおいて順方向リンク上で送信される物理レイヤフレームの現在の数を備える、Ｃ３４に記載のコンピュータプログラム製品。
［Ｃ３７］
前記ページングスロットが利用可能容量を含むと判断するための前記命令は、
前記ページングスロットが利用可能容量を含むかどうかを判断するために前記ページングスロットのフィールド中の識別子を分析するように前記プロセッサによってさらに実行可能である、Ｃ３４に記載のコンピュータプログラム製品。
［Ｃ３８］
前記識別子を分析するための前記命令は、
前記ページングスロット中のメッセージのメッセージタイプを示すための１つまたは複数のビットを備える前記ページングスロット中のフィールドを識別することと、
前記１つまたは複数のビットによって識別される前記メッセージタイプに基づいて前記ページングスロットが利用可能容量を含むと判断することと
を行うように前記プロセッサによってさらに実行可能である、Ｃ３７に記載のコンピュータプログラム製品。
［Ｃ３９］
前記ページングスロットが利用可能容量を含むと判断するための前記命令は、
前記ページングスロット中のメッセージを識別することと、
前記メッセージのメッセージタイプを判断することと、
前記メッセージタイプがヌルであると判断すると、前記ページングスロットを利用可能容量を含むものとして識別することと
を行うように前記プロセッサによってさらに実行可能である、Ｃ３４に記載のコンピュータプログラム製品。
［Ｃ４０］
前記コンピュータ可読媒体が、
前記Ｍ２ＭワイヤレスＷＡＮにおいて順方向リンク上のワイヤレスＭ２Ｍ通信のための物理レイヤフレームを生成するように前記プロセッサによってさらに実行可能な命令を記憶し、前記フレームが、ページングチャネルを備える第１のチャネルと、肯定応答（ＡＣＫ）チャネルを備える第２のチャネルと、トラフィックチャネルを備える第３のチャネルとを含む３つ以下のチャネルを備え、前記ページングチャネルが前記ページングスロットの間にデータを送信する、Ｃ３４に記載のコンピュータプログラム製品。
［Ｃ４１］
前記ページングチャネルを備える前記第１のチャネルの長さと前記ＡＣＫチャネルを備える前記第２のチャネルの長さとが５ミリ秒（ｍｓ）であり、前記トラフィックチャネルを備える前記第２のチャネルの長さが１０ｍｓである、Ｃ４０に記載のコンピュータプログラム製品。
［Ｃ４２］
前記コンピュータ可読媒体が、
前記Ｍ２Ｍデバイスに割り当てられた物理レイヤフレームのタイムスロットを識別することと、
前記識別されたタイムスロットの間に前記Ｍ２Ｍデバイスにデータを送信することと
を行うように前記プロセッサによってさらに実行可能な命令を記憶した、Ｃ３４に記載のコンピュータプログラム製品。
［Ｃ４３］
前記ページングスロットが、ヌルメッセージタイプを備える少なくとも１つのメッセージを備える、Ｃ３４に記載のコンピュータプログラム製品。
［Ｃ４４］
前記ヌルメッセージタイプを備える前記少なくとも１つのメッセージが前記ワイヤレスＷＡＮ中の各Ｍ２Ｍデバイスに宛てられる、Ｃ４３に記載のコンピュータプログラム製品。
【図１】
0005902356.tif 000002
【図２】
0005902356.tif 000003
【図３Ａ】
0005902356.tif 000004
【図３Ｂ】
0005902356.tif 000005
【図４Ａ】
0005902356.tif 000006
【図４Ｂ】
0005902356.tif 000007
【図５Ａ】
0005902356.tif 000008
【図５Ｂ】
0005902356.tif 000009
【図６】
0005902356.tif 000010
【図７】
0005902356.tif 000011
【図８】
0005902356.tif 000012
【図９】
0005902356.tif 000013
【図１０】
0005902356.tif 000014
【図１１】
0005902356.tif 000015
【図１２】
0005902356.tif 000016
【図１３】
0005902356.tif 000017
【図１４】
0005902356.tif 000018